(57)【要約】  第１患者を識別する情報をディスプレイし、第１患者の生体情報の測定値に基づいた第１患者の健康状態に関する情報をディスプレイし、第２患者の健康状態に関する情報をディスプレイするユーザインターフェースをディスプレイし、第２患者の生体情報の測定値に基づいた第２患者の健康状態に関する情報をディスプレイする健康管理方法及び装置を提供する。
2014504404.tif 000002
【特許請求の範囲】
【請求項１】
第１患者を識別する情報を健康管理装置によりディスプレイし、
前記第１患者の生体情報の測定値に基づいた前記第１患者の健康状態に関する情報をディスプレイし、
第２患者の健康状態に関する情報をユーザインターフェース上にディスプレイし、
前記ユーザインターフェースを介した入力に応答して、前記第２患者の生体情報の測定値に基づいた前記第２患者の健康状態に関する情報をディスプレイすること、
を含む、健康管理方法。
【請求項２】
前記識別情報は、前記第１患者の生体情報の測定値に基づいて表現された前記第１患者を代表するイメージを含む、請求項１に記載の健康管理方法。
【請求項３】
前記第１患者の健康状態に関する情報をディスプレイすることは、
前記第１患者の生体情報の測定値がディスプレイされる前記健康管理装置のディスプレイの区間を識別し、
前記識別した区間における前記第１患者の生体情報の測定値に対応する前記第１患者の健康状態に関する情報をディスプレイすること、
を含む、請求項１に記載の健康管理方法。
【請求項４】
前記第１患者の生体情報を測定する日程又は前記第１患者の投薬日程に関する情報をディスプレイし、
前記ユーザインターフェースを介したユーザの入力に応答して、前記第１患者の生体情報を測定する日程又は前記第１患者の投薬日程をディスプレイすること、
をさらに含む、請求項１に記載の健康管理方法。
【請求項５】
前記第１患者の生体情報を測定する日程又は前記第１患者の投薬日程をディスプレイすることは、
前記日程が複数個であれば、前記複数個の日程が優先順位によってディスプレイされるように前記複数個の日程の少なくとも一つに視覚的な効果を与えることを含む、請求項４に記載の健康管理方法。
【請求項６】
前記第１患者の健康状態に関連したメッセージに関する情報をディスプレイし、
前記ユーザインターフェースを介したユーザの入力に応答して、前記第１患者の健康状態に関連したメッセージをディスプレイすること、
をさらに含む、請求項１に記載の健康管理方法。
【請求項７】
前記第２患者を識別する第２識別情報をディスプレイすることをさらに含み、
前記第２患者の健康状態に関する情報をディスプレイすることは、
前記第２患者を識別する情報がディスプレイされた領域のうち少なくとも一部を選択するユーザの入力に応答して、前記第２患者の生体情報の測定値に基づいた前記第２患者の健康状態に関する情報をディスプレイすることを含む、請求項１に記載の健康管理方法。
【請求項８】
前記第２患者を識別する第２識別情報をディスプレイし、
前記第２患者のメッセージに関する情報を縮約した情報、第２患者の日程に関する情報を縮約した情報、及び前記第２患者の健康状態に関する情報を縮約した情報のうち少なくとも一つに基づくメッセージをディスプレイすること、
をさらに含む、請求項１に記載の健康管理方法。
【請求項９】
前記生体情報は、血圧、血糖、運動量、血液、呼気量、生活パターン、献立、体重、体脂肪、投薬時間のうち少なくとも一つを含む、請求項１に記載の健康管理方法。
【請求項１０】
前記第２患者を識別する第２識別情報をディスプレイすることをさらに含み、
前記識別情報がディスプレイされた領域が、前記第２識別情報がディスプレイされた領域と異なる視覚的効果を有する、請求項１に記載の健康管理方法。
【請求項１１】
前記第１患者の健康状態に基づいた前記第１患者の処方又は献立を獲得し、
前記処方又は献立を提供する場所の位置をディスプレイすること、
をさらに含む、請求項１に記載の健康管理方法。
【請求項１２】
第１患者を識別する識別情報、及び前記第１患者の生体情報の測定値に基づいた前記第１患者の健康状態に関する情報をディスプレイするディスプレイと、
第２患者の健康状態に関する情報をディスプレイするためのユーザの入力を取り込む入力部と、
前記ユーザの入力に応答して、前記第２患者の生体情報の測定値に基づいた前記第２患者の健康状態に関する情報をディスプレイするディスプレイを制御するプロセッサと、
を備える、健康管理装置。
【請求項１３】
前記識別情報は、前記第１患者の生体情報の測定値に基づいて表現された前記第１患者を代表するイメージを含む、請求項１２に記載の健康管理装置。
【請求項１４】
前記ディスプレイは、前記第１患者の生体情報の測定値がディスプレイされる前記健康管理装置の前記ディスプレイの区間に対応する前記第１患者の健康状態に関する情報をディスプレイする、請求項１２に記載の健康管理装置。
【請求項１５】
前記ディスプレイは、前記第１患者の生体情報を測定する日程又は前記第１患者の投薬日程に関する情報をディスプレイし、
前記プロセッサは、ユーザインターフェースを介したユーザの入力に応答して、前記第１患者の生体情報を測定する日程又は前記第１患者の投薬日程をディスプレイするディスプレイを制御する、請求項１２に記載の健康管理装置。
【請求項１６】
前記プロセッサは、前記日程が複数個であれば、前記複数個の日程が優先順位によってディスプレイされるように前記複数個の日程のうち少なくとも一つに視覚的な効果を提供する前記ディスプレイを制御する、請求項１５に記載の健康管理装置。
【請求項１７】
前記ディスプレイは、前記第１患者の健康状態を管理するメッセージに関する情報をディスプレイし、
前記プロセッサは、ユーザインターフェースを介したユーザの入力に応答して、前記第１患者の健康状態を管理するメッセージをディスプレイする前記ディスプレイを制御する、請求項１２に記載の健康管理装置。
【請求項１８】
前記ディスプレイは、前記第２患者を識別する第２識別情報をディスプレイし、
前記プロセッサは、前記第２患者の健康状態に関する情報をディスプレイする場合に、前記第２識別情報がディスプレイされた領域のうち少なくとも一部を選択するユーザの入力に応答して、前記第２患者の生体情報の測定値に基づいた前記第２患者の健康状態に関する情報をディスプレイする前記ディスプレイを制御する、請求項１２に記載の健康管理装置。
【請求項１９】
前記ディスプレイは、前記第２患者のメッセージに関する情報を縮約した情報、第２患者の日程に関する情報を縮約した情報、及び第２患者の健康状態に関する情報を縮約した情報のうち少なくとも一つに基づくメッセージをディスプレイする、請求項１２に記載の健康管理装置。
【請求項２０】
前記ディスプレイは、前記第２患者を識別する第２識別情報をディスプレイし、
前記識別情報がディスプレイされた領域は、前記第２識別情報がディスプレイされた領域と異なる視覚的効果を有する、請求項１２に記載の健康管理装置。
【請求項２１】
前記プロセッサは、
前記第１患者の健康状態に基づいた前記第１患者の処方又は献立を獲得し、
該処方又は献立を提供する場所の位置をディスプレイする前記ディスプレイを制御する、請求項１２に記載の健康管理装置。
【請求項２２】
第１患者を識別する識別情報を健康管理装置によりディスプレイし、
前記第１患者の生体情報の測定値に基づいた前記第１患者の健康状態に関する情報をディスプレイし、
第２患者の健康状態に関する情報をユーザインターフェース上にディスプレイし、
前記ユーザインターフェースを介した入力に応答して、前記第２患者の生体情報の測定値に基づいた前記第２患者の健康状態に関する情報をディスプレイすること、を含む健康管理方法を実行するためのプログラムが記録されている、コンピュータ読み取り可能な記録媒体。
【発明の詳細な説明】
【技術分野】
【０００１】
実施例に従う装置及び方法は、患者の健康を維持するのを手伝う健康管理装置、これを用いた健康管理方法、及びこれを用いたグラフィックユーザインターフェースに関するものである。
【背景技術】
【０００２】
ホームヘルスケア又はユーヘルスケア（ｕ−Ｈｅａｌｔｈ  ｃａｒｅ）サービスとは、患者が病院を訪問することなく、宅内で様々な測定機器を用いて生体情報を測定し、その結果に基づいて遠隔で医療サービスを受けることをいう。
【０００３】
患者が遠隔で医療サービスを受けるために、患者用端末機である健康管理装置は、宅内で患者の生体情報を収集し、これを病院サーバー又はヘルスケアセンターのような管理サーバーに伝送する役割を担う。
【０００４】
健康管理装置のユーザは長期の健康管理を要する高齢者が多いため、既存の健康管理装置は、容易性を考慮して基本機能を使用しやすくしたユーザインターフェースを有するように設計されている。しかし、持続的に管理を受けなければならないという健康管理サービスの特性を考慮する時、使用しやすさのみを考慮したユーザインターフェースは、患者を持続的に生体情報を測定する気にさせるには足りないことがあった。
【発明の概要】
【発明が解決しようとする課題】
【０００５】
実施例は、健康管理装置において、患者の健康状態に関する情報を提供するためのユーザインターフェースを提供し、ユーザインターフェースを介したユーザの入力に応答して、患者の健康状態に関する情報を提供する健康管理装置、その健康管理方法及びこれを実行するためのコンピュータプログラムを格納するコンピュータ読み取り可能記憶媒体を提供することを目的とする。
【課題を解決するための手段】
【０００６】
例示的な一実施例によれば、第１患者を識別する情報を健康管理装置によりディスプレイし、前記第１患者の生体情報の測定値に基づいた前記第１患者の健康状態に関する情報をディスプレイし、第２患者の健康状態に関する情報をユーザインターフェース上にディスプレイし、前記ユーザインターフェースを介した入力に応答して、前記第２患者の生体情報の測定値に基づいた前記第２患者の健康状態に関する情報をディスプレイすること、を含む、健康管理方法が提供される。
【０００７】
前記識別情報は、前記第１患者の生体情報の測定値に基づいて表現された前記第１患者を代表するイメージを含むものであればよい。
【０００８】
前記第１患者の健康状態に関する情報をディスプレイすることは、前記第１患者の生体情報の測定値がディスプレイされる前記健康管理装置のディスプレイの区間を識別し、前記識別した区間における前記第１患者の生体情報の測定値に対応する前記第１患者の健康状態に関する情報をディスプレイすることを含んでもよい。
【０００９】
前記方法は、前記第１患者の生体情報を測定する日程又は前記第１患者の投薬日程に関する情報をディスプレイし、前記ユーザインターフェースを介したユーザの入力に応答して、前記第１患者の生体情報を測定する日程又は前記第１患者の投薬日程をディスプレイすること、をさらに含んでもよい。
【００１０】
前記第１患者の生体情報を測定する日程又は前記第１患者の投薬日程をディスプレイすることは、前記日程が複数個であれば、前記複数個の日程が優先順位によってディスプレイされるように前記複数個の日程の少なくとも一つに視覚的な効果を与えることを含んでもよい。
【００１１】
前記方法は、前記第１患者の健康状態に関連したメッセージに関する情報をディスプレイし、前記ユーザインターフェースを介したユーザの入力に応答して、前記第１患者の健康状態に関連したメッセージをディスプレイすること、をさらに含んでもよい。
【００１２】
前記方法は、前記第２患者を識別する第２識別情報をディスプレイすることをさらに含んでもよく、前記第２患者の健康状態に関する情報をディスプレイすることは、前記第２患者を識別する情報がディスプレイされた領域のうち少なくとも一部を選択するユーザの入力に応答して、前記第２患者の生体情報の測定値に基づいた前記第２患者の健康状態に関する情報をディスプレイすることを含んでもよい。
【００１３】
前記方法は、前記第２患者を識別する第２識別情報をディスプレイし、前記第２患者のメッセージに関する情報を縮約した情報、第２患者の日程に関する情報を縮約した情報、及び前記第２患者の健康状態に関する情報を縮約した情報のうち少なくとも一つに基づくメッセージをディスプレイすること、をさらに含んでもよい。
【００１４】
前記生体情報は、血圧、血糖、運動量、血液、呼気量、生活パターン、献立、体重、体脂肪、投薬時間のうち少なくとも一つを含むものであればよい。
【００１５】
前記方法は、前記第２患者を識別する第２識別情報をディスプレイすることをさらに含んでもよく、前記識別情報がディスプレイされた領域が、前記第２識別情報がディスプレイされた領域と異なる視覚的効果を有してもよい。
【００１６】
前記方法は、前記第１患者の健康状態に基づいた前記第１患者の処方又は献立を獲得し、前記処方又は献立を提供する場所の位置をディスプレイすること、をさらに含んでもよい。
【００１７】
例示的な一実施例によれば、第１患者を識別する識別情報、及び前記第１患者の生体情報の測定値に基づいた前記第１患者の健康状態に関する情報をディスプレイするディスプレイと、第２患者の健康状態に関する情報をディスプレイするためのユーザの入力を取り込む入力部と、前記ユーザの入力に応答して、前記第２患者の生体情報の測定値に基づいた前記第２患者の健康状態に関する情報をディスプレイするディスプレイを制御するプロセッサと、を備えている、健康管理装置が提供される。
【００１８】
前記識別情報は、前記第１患者の生体情報の測定値に基づいて表現された前記第１患者を代表するイメージを含むものであればよい。
【００１９】
前記ディスプレイは、前記第１患者の生体情報の測定値がディスプレイされる前記健康管理装置の前記ディスプレイの区間に対応する前記第１患者の健康状態に関する情報をディスプレイしてもよい。
【００２０】
前記ディスプレイは、前記第１患者の生体情報を測定する日程又は前記第１患者の投薬日程に関する情報をディスプレイし、前記プロセッサは、ユーザインターフェースを介したユーザの入力に応答して、前記第１患者の生体情報を測定する日程又は前記第１患者の投薬日程をディスプレイするディスプレイを制御してもよい。
【００２１】
前記プロセッサは、前記日程が複数個であれば、前記複数個の日程が優先順位によってディスプレイされるように前記複数個の日程のうち少なくとも一つに視覚的な効果を提供してもよい。
【００２２】
前記ディスプレイは、前記第１患者の健康状態を管理するメッセージに関する情報をディスプレイし、前記プロセッサは、ユーザインターフェースを介したユーザの入力に応答して、前記第１患者の健康状態を管理するメッセージをディスプレイする前記ディスプレイを制御してもよい。
【００２３】
前記ディスプレイは、前記第２患者を識別する第２識別情報をディスプレイし、前記プロセッサは、前記第２患者の健康状態に関する情報をディスプレイする場合に、前記第２識別情報がディスプレイされた領域のうち少なくとも一部を選択するユーザの入力に応答して、前記第２患者の生体情報の測定値に基づいた前記第２患者の健康状態に関する情報をディスプレイする前記ディスプレイを制御してもよい。
【００２４】
前記ディスプレイは、前記第２患者のメッセージに関する情報を縮約した情報、第２患者の日程に関する情報を縮約した情報、及び第２患者の健康状態に関する情報を縮約した情報のうち少なくとも一つに基づくメッセージをディスプレイしてもよい。
【００２５】
前記ディスプレイは、前記第２患者を識別する第２識別情報をディスプレイし、前記識別情報がディスプレイされた領域は、前記第２識別情報がディスプレイされた領域と異なる視覚的効果を有してもよい。
【００２６】
前記プロセッサは、前記第１患者の健康状態に基づいた前記第１患者の処方又は献立を獲得し、該処方又は献立を提供する場所の位置をディスプレイする前記ディスプレイを制御してもよい。
【００２７】
例示的な一実施例によれば、第１患者を識別する識別情報を健康管理装置によりディスプレイし、前記第１患者の生体情報の測定値に基づいた前記第１患者の健康状態に関する情報をディスプレイし、第２患者の健康状態に関する情報をユーザインターフェース上にディスプレイし、前記ユーザインターフェースを介した入力に応答して、前記第２患者の生体情報の測定値に基づいた前記第２患者の健康状態に関する情報をディスプレイすること、を含む健康管理方法を実行するためのプログラムが記録されている、コンピュータ読み取り可能な記録媒体が提供される。
【発明の効果】
【００２８】
一実施例によれば、健康管理装置は、患者が持続的に生体情報を測定するように動機を与え、且つ效率的に健康管理をするための情報を提供することができる。また、健康管理装置は、直観的にユーザが装置を利用し得るユーザインターフェースを提供することができる。
【図面の簡単な説明】
【００２９】
【図１】一実施例に係る健康管理装置を含む健康管理システムを示すブロック図である。
【図２Ａ】一実施例に係る装置のユーザ選択画面を示す図である。
【図２Ｂ】一実施例に係る装置のユーザ選択画面においてユーザの動作を示すフローチャートである。
【図２Ｃ】他の実施例に係る装置のユーザ選択画面を示す図である。
【図３】一実施例に係る装置のパスワード入力画面を示す図である。
【図４Ａ】一実施例に係る装置のメイン画面を示す図である。
【図４Ｂ】一実施例に係る装置のメイン画面においてユーザの動作を示すフローチャートである。
【図５】一実施例に係る装置のメイン画面を示す図である。
【図６Ａ】一実施例に係る装置のメッセージ目録画面を示す図である。
【図６Ｂ】一実施例に係る装置のメッセージ目録画面を示す図である。
【図７】一実施例に係るメッセージ詳細画面を示す図である。
【図８】一実施例に係るメッセージ測定値画面を示す図である。
【図９】一実施例に係る日程目録画面を示す図である。
【図１０】一実施例に係る日程設定画面を示す図である。
【図１１】一実施例に係る一日の日程設定画面を示す図である。
【図１２】一実施例に係る測定日程設定画面を示す図である。
【図１３Ａ】一実施例に係る日程追加画面を示す図である。
【図１３Ｂ】一実施例に係る日程追加画面を示す図である。
【図１４】一実施例に係る日程削除画面を示す図である。
【図１５】一実施例に係る測定日程要請画面を示す図である。
【図１６】一実施例に係る日程削除画面を示す図である。
【図１７】一実施例に係る投薬日程画面を示す図である。
【図１８Ａ】一実施例に係る日程追加画面を示す図である。
【図１８Ｂ】一実施例に係る日程追加画面を示す図である。
【図１９】一実施例に係る日程削除画面を示す図である。
【図２０】一実施例に係る投薬日程要請画面を示す図である。
【図２１Ａ】一実施例に係る生体情報測定画面を示す図である。
【図２１Ｂ】一実施例に係る生体情報測定画面を示す図である。
【図２１Ｃ】一実施例に係る生体情報測定画面を示す図である。
【図２１Ｄ】一実施例に係る生体情報測定画面を示す図である。
【図２１Ｅ】一実施例に係る生体情報測定画面を示す図である。
【図２１Ｆ】一実施例に係る生体情報測定画面を示す図である。
【図２２Ａ】一実施例に係る即時測定画面を示す図である。
【図２２Ｂ】一実施例に係る即時測定画面を示す図である。
【図２２Ｃ】一実施例に係る即時測定画面を示す図である。
【図２３Ａ】一実施例に係る測定案内画面を示す図である。
【図２３Ｂ】一実施例に係る測定案内画面を示す図である。
【図２３Ｃ】一実施例に係る測定案内画面を示す図である。
【図２３Ｄ】一実施例に係る測定案内画面を示す図である。
【図２３Ｅ】一実施例に係る測定案内画面を示す図である。
【図２３Ｆ】一実施例に係る測定案内画面を示す図である。
【図２４Ａ】一実施例に係る測定案内画面を示す図である。
【図２４Ｂ】一実施例に係る測定案内画面を示す図である。
【図２４Ｃ】一実施例に係る測定案内画面を示す図である。
【図２４Ｄ】一実施例に係る測定案内画面を示す図である。
【図２４Ｅ】一実施例に係る測定案内画面を示す図である。
【図２４Ｆ】一実施例に係る測定案内画面を示す図である。
【図２５Ａ】一実施例に係る測定案内画面を示す図である。
【図２５Ｂ】一実施例に係る測定案内画面を示す図である。
【図２５Ｃ】一実施例に係る測定案内画面を示す図である。
【図２５Ｄ】一実施例に係る測定案内画面を示す図である。
【図２５Ｅ】一実施例に係る測定案内画面を示す図である。
【図２６Ａ】一実施例に係る測定結果画面を示す図である。
【図２６Ｂ】一実施例に係る測定結果画面を示す図である。
【図２６Ｃ】一実施例に係る測定結果画面を示す図である。
【図２６Ｄ】一実施例に係る測定結果画面を示す図である。
【図２７Ａ】一実施例に係る未伝送測定値目録画面を示す図である。
【図２７Ｂ】一実施例に係る未伝送測定値目録画面を示す図である。
【図２７Ｃ】一実施例に係る未伝送測定値目録画面を示す図である。
【図２８Ａ】一実施例に係る未伝送測定値画面を示す図である。
【図２８Ｂ】一実施例に係る未伝送測定値画面を示す図である。
【図２８Ｃ】一実施例に係る未伝送測定値画面を示す図である。
【図２９Ａ】一実施例に係る最近測定値目録画面を示す図である。
【図２９Ｂ】一実施例に係る最近測定値目録画面を示す図である。
【図２９Ｃ】一実施例に係る最近測定値目録画面を示す図である。
【図３０Ａ】一実施例に係る最近測定値画面を示す図である。
【図３０Ｂ】一実施例に係る最近測定値画面を示す図である。
【図３０Ｃ】一実施例に係る最近測定値画面を示す図である。
【図３１】一実施例に係る環境設定画面を示す図である。
【図３２Ａ】一実施例に係る一般設定画面を示す図である。
【図３２Ｂ】一実施例に係る一般設定画面を示す図である。
【図３２Ｃ】一実施例に係る一般設定画面を示す図である。
【図３３Ａ】一実施例に係るユーザ個人情報設定画面を示す図である。
【図３３Ｂ】一実施例に係るユーザ個人情報設定画面を示す図である。
【図３４】一実施例に係るユーザ個人情報設定画面を示す図である。
【図３５Ａ】一実施例に係るユーザ個人情報設定画面を示す図である。
【図３５Ｂ】一実施例に係るユーザ個人情報設定画面を示す図である。
【図３５Ｃ】一実施例に係るユーザ個人情報設定画面を示す図である。
【図３６Ａ】一実施例に係るパスワード設定画面を示す図である。
【図３６Ｂ】一実施例に係るパスワード設定画面を示す図である。
【図３７】一実施例に係る測定値伝送方式設定画面を示す図である。
【図３８】一実施例に係る自動地域番号設定画面を示す図である。
【図３９】一実施例に係る発信制限目録設定画面を示す図である。
【図４０Ａ】一実施例に係る受信制限目録設定画面を示す図である。
【図４０Ｂ】一実施例に係る受信制限目録設定画面を示す図である。
【図４０Ｃ】一実施例に係る受信制限目録設定画面を示す図である。
【図４１Ａ】一実施例に係る管理者暗号入力画面を示す図である。
【図４１Ｂ】一実施例に係る管理者暗号入力画面を示す図である。
【図４２Ａ】一実施例に係る管理者モード画面を示す図である。
【図４２Ｂ】一実施例に係る管理者モード画面を示す図である。
【図４３Ａ】一実施例に係るユーザのパスワードを設定する画面を示す図である。
【図４３Ｂ】一実施例に係るユーザのパスワードを設定する画面を示す図である。
【図４４Ａ】一実施例に係る生体情報測定センサー登録画面を示す図である。
【図４４Ｂ】一実施例に係る生体情報測定センサー登録画面を示す図である。
【図４５Ａ】一実施例に係る生体情報測定センサー変更画面を示す図である。
【図４５Ｂ】一実施例に係る生体情報測定センサー変更画面を示す図である。
【図４６Ａ】一実施例に係る健康管理公知画面を示す図である。
【図４６Ｂ】一実施例に係る健康管理公知画面を示す図である。
【図４６Ｃ】一実施例に係る健康管理公知画面を示す図である。
【図４６Ｄ】一実施例に係る健康管理公知画面を示す図である。
【図４６Ｅ】一実施例に係る健康管理公知画面を示す図である。
【図４６Ｆ】一実施例に係る健康管理公知画面を示す図である。
【図４６Ｇ】一実施例に係る健康管理公知画面を示す図である。
【図４６Ｈ】一実施例に係る健康管理公知画面を示す図である。
【図４６Ｉ】一実施例に係る健康管理公知画面を示す図である。
【図４６Ｊ】一実施例に係る健康管理公知画面を示す図である。
【図４６Ｋ】一実施例に係る健康管理公知画面を示す図である。
【図４６Ｌ】一実施例に係る健康管理公知画面を示す図である。
【図４６Ｍ】一実施例に係る健康管理公知画面を示す図である。
【図４６Ｎ】一実施例に係る健康管理公知画面を示す図である。
【図４６Ｏ】一実施例に係る健康管理公知画面を示す図である。
【図４６Ｐ】一実施例に係る健康管理公知画面を示す図である。
【図４６Ｑ】一実施例に係る健康管理公知画面を示す図である。
【図４６Ｒ】一実施例に係る健康管理公知画面を示す図である。
【図４６Ｓ】一実施例に係る健康管理公知画面を示す図である。
【図４６Ｔ】一実施例に係る健康管理公知画面を示す図である。
【図４６Ｕ】一実施例に係る健康管理公知画面を示す図である。
【図４６Ｖ】一実施例に係る健康管理公知画面を示す図である。
【図４６Ｗ】一実施例に係る健康管理公知画面を示す図である。
【発明を実施するための形態】
【００３０】
以下、例示的な実施例の上記の又は他の側面が、添付の図面を参照して詳細に説明される。しかし、本発明が実施例に制限又は限定されるものではない。図面中、同一の参照符号は同一部材を指す。
【００３１】
本明細書でいう「実施例」、「例」、「側面」、「例示」などは、記述された任意の様相（ａｓｐｅｃｔ）又は設計が、他の様相又は設計に比べてより良好である、又は、より利点があると解釈してはならない。
【００３２】
以下に使われる用語、「部」、「コンポーネント」、「モジュール」、「システム」、「インターフェース」などは、通常、コンピュータ関連エンティティ（ｃｏｍｐｕｔｅｒ−ｒｅｌａｔｅｄ  ｅｎｔｉｔｙ）を意味し、例えば、プロセッサ又は回路のようなハードウェア、ハードウェアとソフトウェアとの組み合わせ、ソフトウェアを意味すればよい。
【００３３】
また、「又は」という用語は、排他的論理和「ｅｘｃｌｕｓｉｖｅ  ｏｒ」よりは、包含的論理和「ｉｎｃｌｕｓｉｖｅ  ｏｒ」の意味を有する。すなわち、特に言及しない限り、又は文脈から明らかでない限り、「ｘがａ又はｂを用いる」という表現は、包含的自然順列（ｎａｔｕｒａｌ  ｉｎｃｌｕｓｉｖｅ  ｐｅｒｍｕｔａｔｉｏｎｓ）のいずれか一つを意味する。
【００３４】
また、本明細書及び請求項に使われる単数の表現は、特に言及しない限り、又は単数形態に関するものであることが文脈から明らかにならない限り、通常、「一つ以上」を意味すると解釈しなければならない。
【００３５】
また、本明細書に使われた「及び／又は」という用語は、列挙した関連アイテムのうち一つ以上のアイテムの可能なあらゆる組み合わせを指したり含むものと理解しなければならない。
【００３６】
また、「含む」及び／又は「含んでいる」という用語は、該当の特徴、段階、動作、モジュール、構成要素及び／又はコンポーネントが存在することを意味するが、一つ以上の他の特徴、段階、動作、モジュール、構成要素、コンポーネント及び／又はこれらのグループの存在又は追加を排除しないものと理解しなければならない。
【００３７】
また、本明細書で、第１、第２などの用語が種々の構成要素を説明するために使われるが、それらの構成要素がこのような用語に限定されるものではない。このような用語は、２以上の構成要素間の区別のために使われるだけで、順序又は優先順位を意味するものと解釈してはならない。
【００３８】
また、本明細書に使われた「ｘに応答して（ｉｎ  ｒｅｓｐｏｎｓｅ  ｔｏ）、ｙする段階」という表現は、“ｘに応答する段階及びｙする段階」を意味するものと解釈すればよく、「ｘに応答する段階」と「ｙする段階」との間には、一つ以上の段階がさらに含まれてもよい。
【００３９】
以下、健康管理装置、健康管理装置のための健康管理方法及び健康管理装置のためのユーザインターフェースに関する実施例について説明する。
【００４０】
図１は、一実施例に係る健康管理装置１００を含む健康管理システムを示すブロック図である。
【００４１】
図１を参照すると、この実施例に係る健康管理システムは、健康管理装置１００、生体情報測定センサー１６０、サーバー１７０を含んでいる。ただし、これに限定されず、図示のよりも少ない又は多い構成要素を有する、２以上の構成要素を結合する、又は、異なる構成要素構造や配列を有するものであってもよい。
【００４２】
健康管理システムは、上述した構成要素を用いてユーザに健康管理サービスを提供可能なシステムであってよい。例えば、ユーザは、ログイン過程により健康管理システムに接続すればよい。ユーザは、健康管理システムに接続した状態で、生体情報測定センサー１６０を介して自分の生体情報を測定し、健康管理装置１００は、当該生体情報の測定値をサーバー１７０に伝送し、サーバー１７０から測定値に対する医療陣の勧告事項を獲得し、それをディスプレイスクリーン１１０を介してユーザに提供するとよい。
【００４３】
健康管理装置１００は、ユーザに健康管理サービスを提供する装置１００で、患者用端末機又はゲートウェイとも呼ばれる。
【００４４】
装置１００の構成要素は、一つ以上の信号処理回路又は注文型半導体を備えており、且つハードウェア、ソフトウェア又はこれらの結合により具現されればよい。例えば、装置１００は、ディスプレイ一体型、ＩＰ−ＴＶ及びＣａｂｌｅ  ＴＶを含むセットトップボックス型、スマートフォン型、携帯電話型、ワイブロー端末型、Ｗｉ−Ｆｉ無線共有機型、Ｔａｂｌｅｔ  ＰＣを含むＰＣ型、又は医療機一体型のうち少なくとも１装置にすればよい。
【００４５】
装置１００は、種々の健康管理サービスをユーザに提供するとよい。ユーザは、提供された健康管理サービスに従って生体情報測定センサー１６０を用いて各種生体情報を測定すればよい。例えば、装置１００は、生体情報の測定値を生体情報測定センサー１６０から受信し、これをサーバー１６０に伝送して、医療陣に診療してもらうようにする。ここで、ユーザは、装置１００の使用者であり、各種身体疾患に病んでいる患者だけでなく、身体疾患がなくても、健康管理のために使用したり、装置１００を運営するために使用したりする人も該当する。以下、ユーザとして患者を挙げて説明する。
【００４６】
健康管理サービスは、装置１００を介してユーザに提供される患者の健康管理に関連したサービスで、患者の健康管理に必要な情報を含んでいればよい。患者の健康管理に必要な情報は、例えば、患者の健康状態に関する情報、患者が測定する生体情報の種類、生体情報の測定履歴（日付、時間、回数など）、生体情報の測定時間帯、生体情報測定センサー１６０の使用方法、患者が服用すべき薬物の種類、薬物の服用（量、回数、時間など）、薬物の服用時間帯、薬物の服用方法、推奨する食べ物目録と摂取を抑えるべき食べ物目録などを含む患者の献立表、及び患者の健康増進のための運動計画のうち少なくとも一つを含むことができるが、これに限定されるものではない。
【００４７】
生体情報測定センサー１６０は、ユーザの生体情報を測定するセンサーで、血圧計、血糖計、血液検査器、電子聴診器、呼気流量計（ｐｅａｋ  ｆｌｏｗ  ｍｅｔｅｒ）、運動量計、献立分析器、生活パターン分析器、画像カメラ、体重計、体脂肪分析計、医療映像機器及び尿分析器のうち少なくとも一つが挙げられるが、これに限定されるものではない。生体情報は、ユーザの生体に関する医療情報で、血圧、血糖、運動量、血液、呼気量、生活パターン、献立、体重、体脂肪、投薬時間のうち少なくとも一つを含むことができるが、これに限定されるものではない。ユーザは、生体情報測定センサー１６０を用いて自分の生体情報の測定値が得られる。生体情報測定センサー１６０は、獲得した生体情報の測定値を装置１００に伝送されてもよい。
【００４８】
サーバー１７０は、装置１００からユーザの生体情報のようなユーザ健康管理に必要な情報を受信し、これを医療陣に提供することによって、医療陣が遠隔でユーザの健康を管理できるようにする。例えば、サーバー１７０は、病院サーバー又はヘルスケアセンターのような管理サーバーであるとよい。サーバー１７０は、健康管理サービスを利用するユーザのデータベースを有していればよい。ユーザデータベースは、ユーザの身上情報、医療陣がユーザを診断した情報、診断情報に基づいて作成した健康管理項目、生体情報測定資料、及び生体情報測定資料の分析結果を含むとよいが、これに限定されるものではない。
【００４９】
また、サーバー１７０は、ＣＤＳＳ（Ｃｌｉｎｉｃａｌ  Ｄｅｃｉｓｉｏｎ  Ｓｕｐｐｏｒｔ  Ｓｙｓｔｅｍ）を用いてユーザを診断して処方してもよい。ＣＤＳＳは、医学的な意思決定をするのに役立つシステムで、ユーザの生体情報などを精密に分析して、医師の診断に代えるような処方を提供することが可能である。例えば、ＣＤＳＳは、生体情報の測定値の数値別に個別化指針を提供したり、患者の各疾患別に救急状況を判断し、救急状況時にそれに対応する手順又は細部指針を提供するとよい。
【００５０】
図１を参照すると、装置１００は、ディスプレイスクリーン１１０、入力部１２０、プロセッサ１３０、記憶部１４０及び通信部１５０を備えている。
【００５１】
スクリーン１１０は、患者の健康管理がなされるように健康管理サービスに関する情報を提供するものでよい。スクリーン１１０には、ＰＤＰ（Ｐｌａｓｍａ  Ｄｉｓｐｌａｙ  Ｐａｎｅｌ）、ＥＰＤ（Ｅｌｅｃｔｒｏｎｉｃ  Ｐａｐｅｒ  Ｄｉｓｐｌａｙ）、ＬＣＤ（Ｌｉｑｕｉｄ  Ｃｒｙｓｔａｌ  Ｄｉｓｐｌａｙ）、ＬＰＤ（Ｌｉｇｈｔ  ｅｍｉｔｔｉｎｇ  Ｐｏｌｙｍｅｒ  Ｄｉｓｐｌａｙ）、ＯＬＥＤ（Ｏｒｇａｎｉｃ  Ｌｉｇｈｔ−Ｅｍｉｔｔｉｎｇ  Ｄｉｏｄｅ）又はＡＭＯＬＥＤ（Ａｃｔｉｖｅ−ｍａｔｒｉｘ  Ｏｒｇａｎｉｃ  Ｌｉｇｈｔ−Ｅｍｉｔｔｉｎｇ  Ｄｉｏｄｅ）技術が用いらればよいが、これらに限定されず、既に公知の、又は今後開発されるいずれか他の技術が用いられてもよい。
【００５２】
入力部１２０は、ユーザの入力を取り込むものであればよい。例えば、入力部１２０は、タッチセンサー、マウス、キーボード、ジョイスチック、ボタン、ダイヤル、スライダースイッチなどのような装置を備えるものでよい。ここで、タッチセンサーは、ユーザのタッチ入力を感知する装置で、静電容量式技術（ｃａｐａｃｉｔｉｖｅ  ｔｅｃｈｎｏｌｏｇｙ）、抵抗式技術（ｒｅｓｉｓｔｉｖｅ）、赤外線技術（ｉｎｆｒａｒｅｄ  ｔｅｃｈｎｏｌｏｇｙ）及び表面音波技術（ｓｕｒｆａｃｅ  ａｃｏｕｓｔｉｃ  ｗａｖｅ  ｔｅｃｈｎｏｌｏｇｙ）が用いらればよいが、これに限定されず、既に公知の、又は今後開発されるいずれか他の技術が用いられてもよい。タッチセンサーは、スクリーン１１０と結合してタッチスクリーンとして動作してもよい。タッチスクリーンは、スクリーン１１０を介してユーザのジェスチャーに関する情報を取り込み、プロセッサ１３０に伝達するとよい。ここで、ユーザのジェスチャーに関する情報は、クリック（ｃｌｉｃｋ）ジェスチャー、スクロール（ｓｃｒｏｌｌ）ジェスチャー、フリック（ｆｌｉｃｋ）ジェスチャー、ドラッグ（ｄｒａｇ）ジェスチャー、スワイプ（ｓｗｉｐｅ）ジェスチャーなどを含むとよい。
【００５３】
記憶部１４０は、健康管理サービスを提供する動作に必要なプログラム及びデジタル映像に対応するコンテンツ、又はその他の様々なデータを格納するとよい。記憶部１４０は、揮発性メモリ及び不揮発性メモリであってよい。例えば、記憶部１４０としては、高速ランダムアクセスメモリ（ｈｉｇｈ−ｓｐｅｅｄ  ｒａｎｄｏｍ  ａｃｃｅｓｓ  ｍｅｍｏｒｙ）、磁気ディスク、ＳＲＡＭ、ＤＲＡＭ、ＲＯＭなどが挙げられるが、これに限定されるものではない。また、記憶部１４０は、装置１００に脱着可能なものにしてもよい。例えば、記憶部１４０は、ＣＦカード（Ｃｏｍｐａｃｔ  Ｆｌａｓｈ  Ｃａｒｄ）、ＳＤカード（Ｓｅｃｕｒｅ  Ｄｉｇｉｔａｌ  Ｃａｒｄ）、ＳＭカード（Ｓｍａｒｔ  Ｍｅｄｉａ（登録商標）  Ｃａｒｄ）、ＭＭＣ（Ｍｕｌｔｉｍｅｄｉａ  Ｃａｒｄ）又はメモリスティック（Ｍｅｍｏｒｙ  Ｓｔｉｃｋ）にしてもよいが、これに限定されない。また、記憶部１４０は、装置１００の外部に設けられて、有線又は無線で装置１００とデータを授受するものであってもよい。
【００５４】
通信部１５０は、サーバー１７０から健康管理サービスに関する情報を受信するものでよい。例えば、通信部１５０は、サーバー１７０を介して医療陣から患者管理に必要な勧告事項又は生体情報の測定値結果による診断事項を受信するとよい。通信部１５０とサーバー１７０との通信方式には、Ｗｉ−Ｆｉ、ＣＤＭＡ、ネットワークを介した有線又は無線通信、ワイブロー（Ｗｉｂｒｏ）、３Ｇ、４Ｇ又は公衆交換電話網（ＰＳＴＮ）などを用いるとよいが、これに限定されない。
【００５５】
通信部１５０は、生体情報測定センサー１６０と通信して、生体情報測定センサー１６０が測定した生体情報測定値を受信する、又は、受信した測定値をサーバー１７０に伝送してもよい。通信部１５０と生体情報測定センサー１６０との通信方式には、ブルートゥース（Ｂｌｕｅｔｏｏｔｈ（登録商標））、赤外線通信、Ｗｉ−Ｆｉ、ＣＤＭＡ、有／無線ＬＡＮ、ジグビー（Ｚｉｂｇｅｅ）、Ｓｅｒｉａｌ及びＵＳＢなどを用いるとよいが、これに限定されない。
【００５６】
プロセッサ１３０は、装置１００の各構成要素に関する動作全般を制御し、且つ健康管理サービスに関する情報をスクリーン１１０を介して提供すればよい。例えば、プロセッサ１３０は、各構成要素への電源の供給を制御して初期化過程が行われるように制御し、初期化過程が完了すると、この実施例に係る健康管理サービスを提供するための信号の流れを制御するとよい。以下に述べられる装置１００で提供される画面は、プロセッサ１３０により提供又は制御されるものであってよい。
【００５７】
装置１００は、ユーザインターフェースを用いて患者と疎通し合うものであるとよい。ユーザインターフェースは、ユーザと装置１００との疎通が可能なように一時的又は持続的な接近を提供する媒介体のことを意味する。ユーザインターフェースは、仮想のユーザインターフェース又は物理的ユーザインターフェースであってよい。例えば、仮想のユーザインターフェースとしては、スクリーン上に提供されるテキスト又はグラフィックなどが挙げられる。また、物理的なユーザインターフェースは、物理的ボタン、マウスなどが挙げられる。他の例として、ユーザインターフェースは、イメージ又はサウンドを認識するセンサーであってもよい。例えば、装置１００は、センサーを介してユーザの顔の表情又は音波を分析し、分析結果に基づく情報を提供してもよい。
【００５８】
以下、装置１００のスクリーン１１０を介して提供されるユーザインターフェース及び画面の実施例について述べる。画面は、スクリーン１１０上にそれぞれ提供されて互いに切り替わるものでもよく、ポップアップ又はオーバーレイド（ｏｖｅｒｌａｉｄ）画面として提供され、複数個が一つのスクリーン１１０上に提供されるものでもよい。
【００５９】
図２Ａは、一実施例に係る装置１００のユーザ選択画面２００を示す図である。この実施例において、ユーザ選択画面２００は、以下の構成要素、又はサブセットやスーパーセットを含むとよい。
●第１患者を代表するイメージ２１１及び第１患者の名前２１２
●第１患者の健康状態に関連したメッセージアイコン２１３及び該メッセージに関する情報２１４
●第１患者の生体情報を測定する日程アイコン２１５及び該日程に関する情報２１６
●第１患者の健康状態に関するアイコン２１７及び該健康状態に関する情報２１８
●第２患者を代表するイメージ２２１及び第２患者の名前２２２
●第２患者の健康状態に関連したメッセージアイコン２２３及び該メッセージに関する情報を縮約した情報２２４
●第２患者の生体情報を測定する日程アイコン２２５及び該日程に関する情報を縮約した情報２２６
●第２患者の健康状態に関するアイコン２２７
●第２患者の健康状態に関する情報をディスプレイするユーザインターフェース２３１，２３２
●健康管理システムに接続するためのユーザインターフェース２３３
●電話するためのユーザインターフェース２３４
●環境設定画面をディスプレイするユーザインターフェース２３５
【００６０】
図２Ｂは、一実施例に係る装置１００のユーザ選択画面２００においてユーザの動作を示すフローチャートである。
【００６１】
この実施例において、装置１００は、第１患者を識別する情報（例えば、２１１，２１２）をディスプレイできる（Ｓ２４１）。ここで、第１患者を識別する識別情報（例えば、２１１，２１２）は、第１患者の生体情報の測定値に基づいて表現された第１患者を代表するイメージ（例えば、２１１）を含むとよい。
【００６２】
装置１００は、第１患者の生体情報の測定値に基づく第１患者の健康状態に関する情報（例えば、２１８）をディスプレイできる（Ｓ２４３）。健康状態に関する情報（例えば、２１８）は、テキスト（例えば、２１８）、グラフィック、数字、動画又はサウンドとして提供するとよいが、これに限定されるものではない。
【００６３】
装置１００は、第１患者と区別される第２患者の健康状態に関する情報をディスプレイするユーザインターフェース（例えば、２３１，２３２）を提供してもよい（Ｓ２４５）。そして、ユーザインターフェース（例えば、２３１，２３２）を介したユーザの入力を感知すればよい。例えば、装置１００は、第２患者を識別する情報（例えば、２２１）がディスプレイされた領域のうち、少なくとも一部を選択するユーザの入力を感知するとよい。この場合、ユーザの入力は、ユーザインターフェース（例えば、２３１、２３２）の一部に接触したり、接触を解除したりするジェスチャーでよい。また、装置１００は、ユーザインターフェースとして、ユーザインターフェースに関連した視覚的な情報無しで画面（例えば、２００）の一部を選択するユーザの入力を取り込む媒介体を含んでもよい。例えば、ユーザの入力は、画面２００の一部に接触し、接触状態を維持したままで接触を移動し、再び接触を解除するジェスチャーでよい。このジェスチャーとしては、例えば、フリック（ｆｌｉｃｋ）、タッチアンドムーブ（Ｔｏｕｃｈ  ａｎｄ  ｍｏｖｅ）、スワイプ（Ｓｗｉｐｅ）、ドラッグアンドドロップ（ｄｒａｇ  ａｎｄ  ｄｒｏｐ）が挙げられる。
【００６４】
装置１００は、ユーザインターフェース（例えば、２００，２２１，２３１，２３２）を介したユーザの入力に応答して、第２患者の生体情報の測定値に基づく第２患者の健康状態に関する情報をディスプレイすればよい（Ｓ２４７）。
【００６５】
この実施例において、装置１００は、第１患者の生体情報の測定値が含まれている特定区間を識別し、識別結果に基づいて特定区間に対応する健康状態に関する情報（例えば、２１８）をディスプレイするとよい。又は、第１患者を代表するイメージ（例えば、２１１）の少なくとも一部を表現してもよい。例えば、生体情報の測定値が正常範囲にあると、装置１００は、患者の健康状態が正常数値であるという情報（例えば、２１８）をディスプレイすればよい。又は、生体情報の測定値が正常範囲を外れていると、装置１００は、患者の健康状態が異常数値であるという情報をディスプレイしてもよい。他の例として、装置１００は、第１患者の生体情報の測定値をサーバー１７０に伝送し、サーバー１７０から生体情報に関連した健康状態に関する情報（例えば、２１８）を受信してディスプレイしてもよい。ここで、特定区間は、例えば、医療陣が患者の診断結果に基づいて設定した区間であってよい。又は、患者から獲得されうる生体情報の測定値の範囲を考慮して分類した複数個の区間のいずれか一つであってもよい。
【００６６】
この実施例において、第１患者を識別する情報（例えば、２１１）がディスプレイされた領域の視覚的効果は、第２患者を識別する情報（例えば、２２１）がディスプレイされた領域と異なる視覚的効果を有してもよい。例えば、第１患者を識別する情報（例えば、２１１）がディスプレイされた領域は、第２患者を識別する情報（例えば、２２１）がディスプレイされた領域と異なる明るさ又は解像度を有してもよい。また、第１患者を識別する情報（例えば、２１１）がディスプレイされた領域の大きさは、第２患者を識別する情報（例えば、２２１）がディスプレイされた領域と異なる大きさにしてもよい。また、第１患者を識別する情報（例えば、２１１）がディスプレイされた領域は、活性化して表示され、第２患者を識別する情報（例えば、２２１）がディスプレイされた領域は、不活性化して表示されてもよい。
【００６７】
この実施例において、装置１００は、第２患者のメッセージに関する情報を縮約した情報（例えば、２２４）、第２患者の日程に関する情報を縮約した情報（例えば、２２６）又は第２患者の健康状態に関する情報を縮約した情報のうち少なくとも一つをディスプレイしてもよい。例えば、第２患者のメッセージに関する情報が「読んでいない５通のメッセージがあります」であれば、第２患者のメッセージに関する情報を縮約した情報を「５」にすればよい。又は、第２患者の日程に関する情報が「新しい日程が２件あります」であれば、第２患者の日程に関する情報を縮約した情報を「２」にすればよい。
【００６８】
図２Ｃは、他の実施例に係る装置１００のユーザ選択画面２５０を示す図である。この実施例において、ユーザ選択画面２５０は、以下の構成要素、又はサブセットやスーパーセットを含むとよい。
●第１患者を代表するイメージ２６１及び第１患者の名前２６２
●第１患者の健康状態に関連したメッセージアイコン２６３及び該メッセージに関する情報２６４
●第１患者の生体情報を測定する日程アイコン２６５及び該日程に関する情報２６６
●第１患者の健康状態に関するアイコン２６７及び該健康状態に関する情報２６８
●第２患者の健康状態に関する情報をディスプレイするためのユーザインターフェース２７１，２７２
【００６９】
この実施例において、装置１００は、第１患者を識別する情報（例えば、２６１，２６２）をディスプレイするとよい。また、装置１００は、第１患者の生体情報に関連した第１患者の健康状態に関する情報（例えば、２６８）をディスプレイしてもよい。装置１００は、第２患者の健康状態に関する情報をディスプレイするためのユーザインターフェース（例えば、２７２，２７１）を提供してもよい。装置１００は、ユーザインターフェース（例えば、２７１，２７２）を介したユーザの入力に応答して、第２患者の生体情報の測定値に基づく第２患者の健康状態に関する情報をディスプレイすればよい。
【００７０】
図３は、一実施例に係る装置１００のパスワード入力画面３００を示す図である。
【００７１】
この実施例において、装置１００は、ユーザ選択画面（例えば、２００，２５０）において健康管理システムに接続するためのユーザインターフェース（例えば、２３３、第１患者を識別する情報（例えば、２１１，２１２，２６１，２６２）がディスプレイされた領域）を選択するユーザの入力に応答して、パスワード入力画面３００をディスプレイするとよい。
【００７２】
装置１００は、パスワード入力要請メッセージ（例えば、３１０）、パスワード表示部（例えば、３２０）、及びパスワード入力のためのユーザインターフェース（例えば、３３０）をディスプレイしている。装置１００は、ユーザインターフェース（例えば、３３０）を介してユーザが入力するパスワードを取り込めばよい。この場合、パスワード表示部（例えば、３２０）には、ユーザが入力したパスワードのうち少なくとも一つのパスワードに関連した視覚的なフィードバック（例えば、３２１，３２２）が提供されるとよい。
【００７３】
装置１００は、ユーザの入力したパスワードが、記憶部１４０又はサーバー１７０に既に記憶された当該ユーザに対応するパスワードと一致するか否か確認すればよい。この実施例において、ユーザの入力したパスワードが、装置１００における既に記憶された当該ユーザに対応するパスワードと一致すると、装置１００は、ユーザの健康管理システム接続による画面を提供すればよい。
【００７４】
図４Ａは、一実施例に係る装置１００のメイン画面４００を示す図である。この実施例において、メイン画面４００は、以下の構成要素、又はサブセットやスーパーセットを含むとよい。
●患者を代表するイメージ４２１及び患者の名前４２２
●患者の生体情報測定値に対応するイメージ４２３，４２５，４２７
●患者の生体情報測定値に関するテキスト情報４２４，４２６，４２８
●患者の生体情報の再測定を要請する情報４２９
●患者の健康状態に関連したメッセージアイコン４３０及び該メッセージに関する情報４３１
●患者の生体情報を測定する日程アイコン４３２及び該日程に関する情報４３３
●システムログアウトのためのログアウトアイコン４１１及び現在時間を表示する時間４１２
●患者の血糖の測定値を獲得するユーザインターフェース４１３
●患者の血圧の測定値を獲得するユーザインターフェース４１４
●患者の運動量の測定値を獲得するユーザインターフェース４１５
●動機誘発メッセージ４４１
●装置１００の外部装置（例えば、サーバー１７０）に接続するユーザインターフェース４５２
●電話するためのユーザインターフェース４５３
●環境設定画面をディスプレイするユーザインターフェース４５４
【００７５】
この実施例において、装置１００は、ユーザ選択画面（例えば、２００，２５０）において、健康管理システムに接続するためのユーザインターフェース（例えば、２３３、第１患者を識別する情報（例えば、２１１，２１２，２６１，２６２）がディスプレイされた領域）を選択するユーザの入力に応答して、メイン画面４００をディスプレイするとよい。又は、ユーザがパスワード入力画面３００を介してパスワードを正確に入力した場合、装置１００はメイン画面４００を提供してもよい。
【００７６】
図４Ｂは、一実施例に係る装置１００のメイン画面４００においてユーザの動作を示すフローチャートである。
【００７７】
この実施例において、装置１００は、既に測定された第１生体情報及び第２生体情報に関連した患者の健康状態に関する情報（例えば、４２１、４２３乃至４２８）をディスプレイすればよい（Ｓ４６１）。
【００７８】
患者の健康状態に関する情報（例えば、４２１、４２３乃至４２８）は、患者を代表するイメージ（例えば、４２１）を含むとよい。患者を代表するイメージ（例えば、４２１）は、例えば、患者の健康状態を反映した顔の表情、アバター又は患者が指定した写真を含んでもよい。装置１００は、既に測定された少なくとも一つの生体情報の測定値に基づいて患者を代表するイメージ（例えば、４２１）を決定し、決定されたイメージ（例えば、４２１）をディスプレイするとよい。
【００７９】
装置１００は、第１生体情報及び第２生体情報の再測定のための測定順序に従って第１生体情報の測定を要請する情報（例えば、４２９）をディスプレイしてもよい（Ｓ４６３）。例えば、装置１００は、現在時間４１２から第１生体情報を再測定する時間が、現在時間４１２から第２生体情報を再測定する時間よりも早くなっていると、第１生体情報の測定を要請する情報（例えば、４２９）をディスプレイすればよい。
【００８０】
装置１００は、第１生体情報を測定するユーザインターフェース（例えば、４１３乃至４１５）を選択するユーザの入力に応答して、第１生体情報の再測定による測定値を獲得する生体情報測定画面（例えば、２１００，２１３０，２１４０，２１５０，２１６０，２１７０）をディスプレイするとよい（Ｓ４６５）。
【００８１】
この実施例において、装置１００は、患者の健康状態に関する情報（例えば、４２１，４２３乃至４２８）として既に測定された生体情報の測定値が含まれた特定区間を識別し、識別結果によって当該特定区間に対応する健康状態に関する情報をディスプレイしてもよい。例えば、装置１００は、既に記憶されている複数個のイメージの少なくとも一つ（例えば、４２３，４２５，４２７）を、特定区間に対応するイメージとしてディスプレイするとよい。この場合、少なくとも一つのイメージ（例えば、４２３，４２５，４２７）は、生体情報又は生体情報の測定値によってそれぞれ異なるイメージを有するとよい。例えば、少なくとも一つのイメージ（例えば、４２３，４２５，４２７）の色は、生体情報の種類に従って別々の色を有してもよい。また、少なくとも一つのイメージ（例えば、４２３，４２５，４２７）の形状は、生体情報の測定値に従って別々の形状を有してもよい。
【００８２】
この実施例において、装置１００は、少なくとも一つの生体情報を再測定する気にさせる動機誘発メッセージ（例えば、４４１）をディスプレイしてもよい。動機誘発メッセージ（例えば、４４１）は、患者の健康状態に関連したメッセージで、例えば、イメージ、オーディオ、動画、テキストなどの種々の形態にしてもよい。動機誘発メッセージ（例えば、４４１）は、装置１００又はサーバー１７０の記憶部から獲得してもよく、外部装置と接続された通信網（例えば、インターネット、有線又は無線電話網）を介して獲得してもよい。
【００８３】
動機誘発メッセージ（例えば、４４１）は、複数個のメッセージから識別されるものよい。動機誘発メッセージ（例えば、４４１）は、メッセージのヘッダー情報、メッセージの伝送形態、メッセージの発信者、メッセージ内容のうち少なくとも一つの情報を用いて、複数個のメッセージから識別されるとよいが、これに限定されるものではない。例えば、装置１００は、複数個のメッセージのうち、動機誘発メッセージに関連した特定ＩＤ又はタグの付与されたメッセージを、動機誘発メッセージ（例えば、４４１）と識別してよい。又は、装置１００は、メッセージの内容をパーシング（ｐａｒｓｉｎｇ）し、患者の動機誘発に関する内容があると、これを動機誘発メッセージ（例えば、４１１）と識別してもよい。又は、動機誘発メッセージが伝達されたネットワークの形態によって、例えば、インターネットと電話網を介して受信したメッセージのうち、電話網を介して受信したメッセージを、動機誘発メッセージ（例えば、４４１）と識別してもよい。又は、患者の知り合い（例えば、患者の家族、患者の医療陣など）から発送されたメッセージを、動機誘発メッセージ（例えば、４４１）と識別してもよい。
【００８４】
動機誘発メッセージ（例えば、４４１）が複数個であれば、装置１００は、既に測定された少なくとも一つの生体情報に関連した患者の健康状態に基づき、複数個の動機誘発メッセージ（例えば、４４１）から少なくとも一つの動機誘発メッセージを識別するとよい。例えば、血糖において患者の健康状態がよくない場合、装置１００は、動機誘発メッセージ（例えば、４４１）の内容又は発信者に基づき、血糖に関連した動機誘発メッセージを識別すればよい。
【００８５】
この実施例において、装置１００は、健康管理装置の外部装置に接続するユーザインターフェース（例えば、４５２）をディスプレイしてもよい。装置１００は、ユーザインターフェースを介したユーザの入力に応答して、装置１００の外部装置に記憶された患者の健康状態に関する情報をディスプレイしてもよい。例えば、装置１００は、サーバー１７０が提供するウェブページを介してユーザが過去に測定した生体情報の測定値目録を提供してもよい。
【００８６】
図５は、他の実施例に係る装置１００のメイン画面５００を示す図である。
【００８７】
この実施例において、装置１００は、新しいメッセージ（例えば、４４２）をメイン画面５００にディスプレイしてもよい。例えば、動機誘発メッセージ（例えば、４４１）がディスプレイされた状態で新しいメッセージ（例えば、４４２）が受信されると、装置１００は、新しいメッセージ（例えば、４４２）のディスプレイされている領域の少なくとも一部が、動機誘発メッセージ（例えば、４４１）のディスプレイされている領域の少なくとも一部を含むようにしてディスプレイするとよい。
【００８８】
この実施例において、装置１００は、新しいメッセージ（例えば、４４２）の一部のみをディスプレイしてもよい。例えば、新しいメッセージ（例えば、４４２）の一部は、新しいメッセージ（例えば、４４２）の要約された内容、又は新しいメッセージ（例えば、４４２）の内容のうち前の部分に該当する内容であってよい。また、新しいメッセージ（例えば、４４２）は、メッセージ目録画面６００のメッセージのうちの少なくとも一つであってもよい。
【００８９】
新しいメッセージ（例えば、４４２）は、ポップアップ（ｐｏｐ−ｕｐ）の形態でディスプレイされてもよい。この場合、新しいメッセージ（例えば、４４２）は、一定時間後（例えば、数秒乃至数十秒の後）に消えてもよい。又は、装置１００が他のユーザの入力を感知すると、ディスプレイされた新しいメッセージ（例えば、４４２）が消えてもよい。又は、装置１００が他の新しいメッセージを受信すると、既存の新しいメッセージ（例えば、４４２）は消え、受信した他の新しいメッセージがディスプレイされてもよい。
【００９０】
この実施例において、装置１００は、患者の健康状態に基づいて患者の処方又は献立を獲得し、獲得された処方又は献立を提供する場所の位置をディスプレイしてもよい。この場合、当該場所の位置は、新しいメッセージ（例えば、４４２）上にテキスト又はイメージの形態として提供されるとよい。又は、サウンドとして提供されてもよい。例えば、装置１００は、患者の血糖の測定値が正常範囲を超えると、血糖の食餌療法に必要な献立を提供する食堂（例えば、菜食中心の献立を提供する食堂）の位置をディスプレイするとよい。又は、装置１００は、患者の健康状態に基づいて医療陣から処方を受信すると、該処方によって調製された薬を提供する薬局の位置をディスプレイしてもよい。
【００９１】
処方又は献立を提供する場所の位置をディスプレイする方式には、場所の位置が地図上にディスプレイされる、場所の絶対的な位置値が住所又は座標として提供される、又は、場所の相対的な位置値が装置１００の位置を基準に提供される方式がある。この場合、装置１００の位置が変更されると、相対的な位置値も変更されればよい。
【００９２】
図６Ａは、一実施例に係る装置１００のメッセージ目録画面６００を示す図である。
【００９３】
この実施例において、ユーザが図４Ａのメイン画面（例えば、４００，５００）においてメッセージをディスプレイするユーザインターフェースとしてメッセージアイコン（例えば、４３０）又はメッセージに関する情報（例えば、４３１）を選択すると、メッセージ目録画面６００がディスプレイされるとよい。
【００９４】
メッセージ目録画面６００は、患者の健康状態に関連したメッセージを含めばよい。例えば、医療陣が患者の健康を増進させるために勧告する医療陣勧告内訳（例えば、６１１）、生体情報の測定値結果（例えば、６１３）、問い合わせ／回答（例えば、６１５）、及び教育資料（例えば、６１６）項目を含んでいる。
【００９５】
医療陣勧告内訳（例えば、６１１）は、ユーザの生体情報の測定値に基づいて提供されるとよい。例えば、装置１００は、ユーザが用いた生体情報測定センサー１６０を介して生体情報の測定値を獲得し、これをサーバー１７０に伝送してよい。サーバー１７０は、受信した生体情報の測定値を医療陣に提供し、医療陣は、生体情報の測定値に基づいて遠隔でユーザを診断し、診断による処方結果を装置１００に伝送するとよい。又は、サーバー１７０は、ＣＤＳＳシステムを用いてユーザを診断し、この診断による処方結果を装置１００に伝送してもよい。
【００９６】
メッセージ目録画面６００は、患者の処方又は献立に関連した項目（図示せず）を含んでもよい。該項目は、患者の処方又は献立に関連したメッセージを含むとよく、各メッセージは、処方情報又は献立情報によって区別され、別々のメッセージとして提供されてもよい。この場合、各メッセージは、獲得された処方又は献立を提供する場所の位置を含んでいてもよい。
【００９７】
ここで、ユーザは、各項目を代表するタブメニューを選択することによって、各項目間のメッセージ目録を切り替えることができる。この時、ディスプレイされるメッセージ目録の項目を代表するタブ（例えば、６１１）の色は、ディスプレイされないメッセージ目録の項目を代表するタブ（例えば、６１３，６１５，６１６）の色と異なるようにしてもよい。
【００９８】
メッセージ目録画面６００のメッセージ（例えば、６２１乃至６２５）は、ユーザがメッセージを読んだか否かを表す情報（例えば、６３１乃至６３５）、メッセージ発信者（例えば、６４１乃至６４５）、メッセージ内容の少なくとも一部（例えば、６５１乃至６５５）、メッセージ発送時間（例えば、６６１乃至６６５）を含むとよい。ここで、例えば、ユーザが閲覧していないメッセージ（例えば、６３１，６３２）は、有彩色又は閉じた封筒の形状のアイコンにし、一方、ユーザが閲覧したメッセージ（例えば、６３３乃至６３５）は、無彩色又は開いた封筒の形状のアイコンにしてもよい。
【００９９】
この実施例において、閲覧していない各項目に対応するメッセージの個数（例えば、６１２、６１４）は、各項目を代表するタブの一側にディスプレイされるとよい。また、各項目のメッセージ目録に含まれたメッセージは、受信された時間順に整列されてディスプレイされるとよい。
【０１００】
メッセージ目録画面６００において一度にディスプレイされるメッセージの個数に制限がある場合、ディスプレイされていないメッセージは、ユーザインターフェース（例えば、６７１，６７２，６７４，６７５）を介して他の画面で現れるようにしてもよい。例えば、ユーザがユーザインターフェース（例えば、６７２，６７４）を選択すると、ディスプレイされた画面の以前又は以後の画面のメッセージ目録がディスプレイされ、ユーザインターフェース（例えば、６７１，６７５）を選択すると、最初又は最後の画面のメッセージ目録がディスプレイされるようにすればよい。
【０１０１】
図６Ｂは、他の実施例に係る装置１００のメッセージ目録画面６８０を示す図である。
【０１０２】
この実施例において、ユーザが、図６Ａにおいてユーザインターフェース（例えば、６７４、６７５）を選択すると、装置１００は、メッセージ目録画面（例えば、６００）にディスプレイされていないメッセージを他のメッセージ目録画面（例えば、６８０）でディスプレイしてよい。
【０１０３】
この実施例において、装置１００は、日程期間以内のメッセージを、メッセージ目録画面（例えば、６００，６８０）に提供するとよい。一方、日程期間前のメッセージはサーバー１７０に記憶されており、ユーザがユーザインターフェース（例えば、６８１）を選択すると、装置１００は、サーバー１７０から日程期間前のメッセージを獲得してディスプレイすることができる。
【０１０４】
図７は、一実施例に係るメッセージ詳細画面７００を示す図である。
【０１０５】
この実施例において、ユーザがメッセージ目録画面（例えば、６００，６８０）の医療陣勧告内訳のメッセージ目録から少なくとも一つのメッセージを選択すると、装置１００はメッセージ詳細画面７００をディスプレイすることができる。画面７００には健康状態に関するメッセージの項目（例えば、７１１）がディスプレイされてよい。この場合、メッセージの項目（例えば、７１１）は、医療陣勧告内訳、測定値結果、問い合わせ／回答、教育資料のうちの少なくとも一つであってよい。また、画面７００には、前の画面に戻るためのユーザインターフェース（例えば、７１２）が提供されていてもよい。
【０１０６】
メッセージ詳細画面７００は、メッセージ内容の一部７３１を含むとよい。メッセージ内容の一部７３１には、メッセージの項目（例えば、７１１）に関連した内容が含まれ、ディスプレイされたメッセージのテキストサイズは、装置１００又はユーザが設定したサイズとして提供すればよい。また、装置１００は、ユーザの入力に応答して、画面７００にディスプレイされていないメッセージの他の内容をディスプレイしてもよい。ユーザの入力は、例えば、メッセージ内容７３１のディスプレイされた領域の一部を接触し、接触状態を維持したまま接触を移動し、再び接触を解除するユーザのジェスチャーであってよい。
【０１０７】
メッセージ詳細画面７００は、メッセージ目録画面（例えば、６００，６８０）をディスプレイするユーザインターフェース７４１を含んでいてもよい。また、メッセージ詳細画面７００は、ディスプレイされたメッセージの前又は後に受信したメッセージをディスプレイするユーザインターフェース（例えば、７４２，７４３）を含んでいてもよい。
【０１０８】
図８は、一実施例に係るメッセージ測定値画面８００，８５０，８６０を示す図である。
【０１０９】
この実施例において、ユーザがメッセージ目録画面（例えば、６００，６８０）の測定値のメッセージ目録から少なくとも一つのメッセージを選択すると、装置１００は、メッセージ測定値画面（例えば、８００，８５０，８６０）をディスプレイすることができる。
【０１１０】
この実施例において、メッセージ測定値画面（例えば、８００，８５０，８６０）は、生体情報の測定値を含むとよい。図８の８００は、生体情報が血糖である場合、血糖の測定値をディスプレイする図である。図８の８５０は、生体情報が血圧である場合、血圧の測定値をディスプレイする図である。図８の８６０は、生体情報が運動量である場合、運動量の測定値をディスプレイする図である。
【０１１１】
メッセージ測定値画面（例えば、８００，８５０，８６０）は、生体情報の種類（例えば、８１１，８５１，８６１）、患者が生体情報を測定した時間（例えば、８２１，８５２，８６２）、生体情報の測定値（例えば、８２２，８５３，８６３）、測定値による健康状態を表すイメージ（例えば、８３２，８５４，８６４）、測定値に関する健康状態を表す情報（例えば、８３３，８５５，８６５）のうち少なくとも一つを含めばよい。イメージ（例えば、８３２，８５４，８６４）は、生体情報の測定値による患者の健康状態に基づいて、記憶部１４０中の複数個のイメージのいずれかのイメージにすればよい。また、メッセージ測定値画面（例えば、８００，８５０，８６０）は、ユーザの入力に応答して、測定値のメッセージ目録をディスプレイするアイコン（例えば、８４１，８５６，８６６）を含んでいてもよい。
【０１１２】
図９は、一実施例に係る日程目録画面９００を示す図である。
【０１１３】
この実施例において、ユーザが、図４Ａのメイン画面（例えば、４００）から日程アイコン（例えば、４３２）又は日程に関する情報（例えば、４３３）を選択すると、装置１００は、患者の生体情報を測定する日程として、日程目録画面９００をディスプレイすることができる。
【０１１４】
この実施例において、装置１００は、ユーザインターフェース（例えば、９１２，９１４）を介したユーザの入力に応答して、日程目録画面９００のディスプレイされた日付（例えば、９１３）とその前又は後の日程目録を提供すればよい。また、装置１００は、ユーザインターフェース（例えば、９１１）を介したユーザの入力に応答して、今日の日程目録を提供してもよい。また、装置１００は、ユーザインターフェース（例えば、９１５）を介したユーザの入力に応答して、日程目録画面９００に進入する以前の画面を提供してもよい。
【０１１５】
この実施例において、日程目録画面９００の一側には、今日の日付９２２及び現在時間を表すグラフィック９２３のうち少なくとも一つがディスプレイされるとよい。
【０１１６】
この実施例において、日程目録画面９００の他側には、患者の健康状態に関する日程目録（例えば、９３１，９３６乃至９４０）をディスプレイするとよい。装置１００は、日程目録における複数個の日程が優先順位に従って区別されるように、複数個の日程のうち、優先順位の高い日程（例えば、９３６，９３７）に視覚的な効果を与えてもよい。視覚的な効果としては、例えば、優先順位の高い日程がディスプレイされた領域の色又は解像度を、優先順位の低い日程がディスプレイされた領域の色又は解像度と異ならせることがある。
【０１１７】
この実施例において、日程目録（例えば、９３１、９３６乃至９４０）は、患者の生体情報を測定する又は投薬する日程を含むとよい。例えば、日程（例えば、９３１）には生体情報の測定時間（例えば、９３２）、生体情報を代表するアイコン（例えば、９３３）、生体情報の測定に関する内容（例えば、９３４）、生体情報の測定時間（例えば、９３２）をユーザに知らせる報知アイコン（例えば、９３５）のうち少なくとも一つを含むとよいが、これに限定されない。
【０１１８】
図１０は、一実施例に係る日程設定画面１０００を示す図である。
【０１１９】
この実施例において、ユーザが日程目録画面９００における日程設定のためのユーザインターフェース９２４を選択すると、装置１００は日程設定画面１０００をディスプレイすることができる。
【０１２０】
この実施例において、日程設定画面１０００は、日課を設定する日課設定ユーザインターフェース（例えば、１０１０）、投薬日程を設定する投薬日程ユーザインターフェース（例えば、１０２０）、生体情報の測定日程を設定するユーザインターフェース（例えば、１０３０，１０４０，１０５０）を含むとよい。例えば、ユーザインターフェース（例えば、１０３０，１０４０，１０５０）は、血糖測定日程を設定するユーザインターフェース（例えば、１０３０）、血圧測定日程を設定するユーザインターフェース（例えば、１０４０）、運動量測定日程を設定するユーザインターフェース（例えば、１０５０）を含んでいる。また、装置１００は、ユーザインターフェース（例えば、１００５）を介したユーザの入力に応答して、日程設定画面１０００に進入する前の画面を提供してもよい。
【０１２１】
図１１は、一実施例に係る一日の日程設定画面１１００を示す図である。
【０１２２】
この実施例において、ユーザが日程設定画面１０００における日課設定に関連したユーザインターフェース１０１０を選択すると、装置１００は、一日の日程設定画面１１００をディスプレイすることができる。
【０１２３】
この実施例において、ユーザは、主要時間（例えば、１１１１）に対する詳細時間（例えば、１１１２）を設定するとよい。例えば、主要時間は、起床、朝食、昼食、夕食を含むとよいが、これに限定されない。一日の日程設定画面１１００は、新しい主要日程を追加するためのユーザインターフェース（図示せず）をさらに含んでいてもよい。
【０１２４】
図１２は、一実施例に係る測定日程設定画面１２００を示す図である。
【０１２５】
この実施例において、ユーザが日程設定画面（例えば、１０００）における生体情報の測定日程に関連したユーザインターフェース（例えば、１０３０，１０４０，１０５０）を選択すると、装置１００は、測定日程設定画面１２００をディスプレイすることができる。例えば、日程設定画面（例えば、１０００）における生体情報の測定日程は、血糖測定日程、血圧測定日程、運動量測定日程のうち少なくとも一つを含むとよい。
【０１２６】
この実施例において、測定日程設定画面１２００は、生体情報の測定を要請する報知を設定するユーザインターフェース（例えば、１２２１）、生体情報の測定周期を設定するユーザインターフェース（例えば、１２２２乃至１２２４）、日程を削除するユーザインターフェース（例えば、１２２５）を含むとよい。測定周期を設定するユーザインターフェース（例えば、１２２２乃至１２２４）は、測定曜日を表す項目（例えば、１２２２）、測定時期を表す項目（例えば、１２２３）、測定時間を表す項目（例えば、１２２４）を含むとよい。
【０１２７】
この実施例において、報知を設定するユーザインターフェース（例えば、１２２１）をユーザが選択すると、選択された日程の報知が設定されながらユーザインターフェース（例えば、１２２１）は活性化される。また、ユーザインターフェース（例えば、１２４１，１２４３）が選択されると、装置１００は、測定日程設定画面１２００にディスプレイされていない他の日程をさらにディスプレイしてもよい。
【０１２８】
図１３Ａは、一実施例に係る日程追加画面１３００を示す図である。
【０１２９】
この実施例において、ユーザが測定日程画面（例えば、１２００）において日程追加に関連したユーザインターフェース（例えば、図１２の１２４５）を選択すると、装置１００は、日程追加画面１３００をディスプレイすることができる。
【０１３０】
日程追加画面１３００は、生体情報の測定周期を毎日の単位で設定するユーザインターフェース（例えば、１３２１）、及び測定周期を曜日単位で設定するユーザインターフェース（例えば、１３２２）を含むとよい。また、ユーザは、測定のためのそれぞれの曜日をユーザインターフェース（例えば、１３３１乃至１３３７）を介して設定すればよい。
【０１３１】
図１３Ｂは、一実施例に係る日程追加画面１３５０を示す図である。
【０１３２】
この実施例において、ユーザが日程追加画面（例えば、１３００）において時間を設定するユーザインターフェース（例えば、図１３Ａの１３３８）を選択すると、装置１００は、時間を設定する日程追加画面１３５０をディスプレイすることができる。
【０１３３】
日程追加画面１３５０は、生体情報の測定のための主要時間を設定するユーザインターフェース（例えば、１３６１乃至１３６４）及び詳細時間を設定するユーザインターフェース（例えば、１３７１乃至１３７３）を含むとよい。例えば、ユーザインターフェース（例えば、１３６１乃至１３６４）は、夜明け、食前（空腹）、食後、就寝前のうち少なくとも一つの設定項目を含むとよい。また、ユーザインターフェース（例えば、１３７１乃至１３７３）は、時（例えば、１３７１）、分（例えば、１３７２）、午前／午後（例えば、１３７３）単位の設定項目を含むとよく、各項目の値は、例えば、＋／−、
【０１３４】
【数１】
2014504404.tif 000003
形態のユーザインターフェースを用いて調節するようにしてもよい。
【０１３５】
ユーザは、日程追加画面１３５０における追加継続のためのユーザインターフェース（例えば、図１３Ｂの１３８１）を介して日程を追加してもよく、完了のためのユーザインターフェース（例えば、図１３Ｂの１３８２）を介して日程の追加を終了し、測定日程画面（例えば、１２００）に復帰してもよい。
【０１３６】
図１４は、一実施例に係る日程削除画面１４００を示す図である。
【０１３７】
この実施例において、ユーザが測定日程画面（例えば、１２００）において日程を削除するユーザインターフェース（例えば、１２２５）を選択すると、装置１００は日程削除画面１４００をディスプレイすることができる。
【０１３８】
日程削除画面１４００は、ユーザインターフェース（例えば、１２２５）に対応する測定日程（例えば、図１２の１２２０）を削除するか否かを確認する情報１４２１をディスプレイするとよい。そして、ユーザが確認ユーザインターフェース１４２２を選択すると、装置１００は測定日程（例えば、１２２０）を削除すればよい。また、ユーザ取消ユーザインターフェース１４２３を選択すると、装置１００は測定日程（例えば、１２２０）の削除を取り消せばよい。
【０１３９】
図１５は、一実施例に係る測定日程要請画面１５００を示す図である。
この実施例において、ユーザが日程設定画面（例えば、１０００）における生体情報の測定日程に関連したユーザインターフェース（例えば、１０３０，１０４０，１０５０）を選択したが、装置１００は、既に記憶された測定日程がないと、測定日程要請画面１５００をディスプレイすればよい。
【０１４０】
測定日程要請画面１５００は、ユーザに測定日程を要請する情報１５１１をディスプレイすればよい。例えば、測定日程を要請する情報１５１１は、測定を要する生体情報、生体情報の測定周期、生体情報の測定時期及び日程の追加を要請する情報を含むとよい。
【０１４１】
一方、装置１００は、ユーザが日程を追加しなくとも、生体情報を測定するための基本的な日程を提供してもよい。例えば、基本的な日程は、サーバー１７０から医療陣を介して伝送されてもよく、ユーザの生体情報を考慮して記憶部１４０又はサーバー１７０に既に記憶された日程目録から選択されてもよい。
【０１４２】
図１６は、一実施例に係る日程削除画面１６００を示す図である。
【０１４３】
この実施例において、運動量を測定する測定日程画面においてユーザが日程を削除するユーザインターフェースを選択すると、装置１００は、日程削除画面１６００をディスプレイすればよい。
【０１４４】
図１７は、一実施例に係る投薬日程画面１７００を示す図である。
【０１４５】
この実施例において、ユーザが日程設定画面（例えば、１０００）の投薬日程ユーザインターフェース（例えば、１０２０）を選択すると、装置１００は投薬日程画面１７００をディスプレイすることができる。
【０１４６】
この実施例において、投薬日程画面１７００は、定められた時間に投薬を要請する報知を設定するユーザインターフェース（例えば、１７２１）、投薬時間を設定するユーザインターフェース（例えば、１７２２乃至１７２４）、日程を削除するユーザインターフェース１７２５の少なくとも一つを含むとよい。投薬時間を設定するユーザインターフェース（例えば、１７７２乃至１７７４）は、第１投薬時間（例えば、朝、昼、夕方、午前、午後）を表す項目（例えば、１７２２）、該第１投薬時間よりも小さい単位の第２投薬時間（例えば、食後、食前、食間、就寝前）を表す項目（例えば、１７２３）、該第２投薬時間よりも小さい単位の時間を表す項目（例えば、）１７２４のうち少なくとも一つを含むとよい。投薬日程画面１７００において投薬日程を設定する過程は、図１２の測定日程画面１２００において測定日程を設定する過程と同様にすればよい。
【０１４７】
図１８Ａは、一実施例に係る日程追加画面１８００を示す図である。
【０１４８】
この実施例において、ユーザが投薬日程画面（例えば、１７００）において日程追加に関連したユーザインターフェース（例えば、図１７の１７３５）を選択すると、装置１００は日程追加画面１８００をディスプレイすることができる。
【０１４９】
日程追加画面１８００は、第１投薬時間（例えば、朝、昼、夕方）のうち少なくとも一つを選択するユーザインターフェース（例えば、１８３１乃至１８３３）を含むとよい。また、日程追加画面１８００は、第２投薬時間（例えば、食前、食後、食後３０分、その他）のうち少なくとも一つを選択するユーザインターフェース（例えば、１８２１乃至１８２５）を含んでいてもよい。
【０１５０】
ユーザは、ユーザインターフェース（例えば、１８３１乃至１８３３）及びユーザインターフェース（例えば、１８２１乃至１８２５）のうち少なくとも一つを選択して投薬日程を追加すればよい。一方、ユーザは、投薬日程の継続追加のためのユーザインターフェース（例えば、１８３１）を選択して日程を追加してもよく、完了のためのユーザインターフェース（例えば、１８３２）を選択して日程の追加を終了し、投薬日程画面（例えば、１７００）に復帰してもよい。
【０１５１】
図１８Ｂは、一実施例に係る日程追加画面１８５０を示す図である。
【０１５２】
この実施例において、ユーザが投薬日程画面（例えば、１７００）において日程追加に関連したユーザインターフェース（例えば、１７３５）を選択すると、装置１００は、日程追加画面１８５０をディスプレイしてもよい。又は、ユーザが日程追加画面（例えば、１８００）においてユーザインターフェース（例えば、１８２１乃至１８２５、１８３１乃至１８３３）を選択すると、装置１００は日程追加画面１８５０をディスプレイしてもよい。
【０１５３】
日程追加画面１８５０は、第２投薬時間（例えば、食前、食後、食後３０分、その他など）を選択するユーザインターフェース（例えば、１８６１乃至１８６５）及び第３投薬時間を設定するユーザインターフェース（例えば、１８７１乃至１８７３）を含むとよい。例えば、ユーザインターフェース（例えば、１８７１乃至１８７３）は、時（例えば、１８７１）、分（例えば、１８７２）、午前／午後（例えば、１８７３）単位の設定項目を含んでおり、各項目の値は、＋／−、
【０１５４】
【数２】
2014504404.tif 000004
形態のユーザインターフェースを用いて調節すればよい。ユーザは、投薬日程の継続追加のためのユーザインターフェース（例えば、１８８１）を介して日程を追加してもよく、完了のためのユーザインターフェース（例えば、１８８２）を介して日程の追加を終了し、投薬日程画面１７００に復帰してもよい。
【０１５５】
図１９は、一実施例に係る日程削除画面１９００を示す図である。
【０１５６】
この実施例において、ユーザが投薬日程画面（例えば、１７００）において投薬日程（例えば、１７２０）を削除するユーザインターフェース（例えば、１７２５）を選択すると、装置１００は日程削除画面（例えば、１９００）をディスプレイすればよい。
【０１５７】
日程削除画面１９００は、ユーザインターフェース（例えば、１７２５）に対応する投薬日程（例えば、図１７の１７２０）を削除するか可否を確認する情報１９２１をディスプレイするとよい。そして、ユーザが「確認」ユーザインターフェース１９２２を選択すると、装置１００は投薬日程（例えば、１７２０）を削除すればよい。また、ユーザが「取消」ユーザインターフェース１９２３を選択すると、装置は、投薬日程（例えば、１７２０）の削除を取り消せばよい。
【０１５８】
図２０は、一実施例に係る投薬日程要請画面２０００を示す図である。
【０１５９】
この実施例において、ユーザが日程設定画面１０００において投薬日程に関連したユーザインターフェース１０２０を選択したが、装置１００は、既に記憶された投薬日程がないと、投薬日程要請画面２０００をディスプレイすればよい。
【０１６０】
投薬日程要請画面２０００は、ユーザに投薬日程を要請する情報２０１１をディスプレイしてよい。
【０１６１】
一方、装置１００は、ユーザが日程を追加しなくても、投薬のための基本的な投薬日程を提供してもよい。例えば、基本的な投薬日程は、サーバー１７０から医療陣を介して伝送されてもよく、ユーザの投薬又は生体情報を記憶部１４０又はサーバー１７０に既に記憶された投薬日程目録から選択してもよい。
【０１６２】
図２１Ａ乃至図２１Ｆは、一実施例に係る生体情報測定画面２１００、２１３０乃至２１７０を示す図である。
【０１６３】
この実施例において、ユーザがメイン画面（例えば、４００）において生体情報の測定に関連したユーザインターフェース（例えば、４１３乃至４１５）を選択すると、装置１００は生体情報測定画面２１００，２１３０，２１４０，２１５０，２１６０，２１７０をディスプレイすればよい。
【０１６４】
例えば、装置１００は、ユーザがメイン画面４００においてユーザインターフェース（例えば、４１３）を選択すると、血糖測定画面２１００，２１５０をディスプレイすればよい。又は、装置１００は、ユーザがメイン画面４００においてユーザインターフェース（例えば、４１４）を選択すると、血圧測定画面２１３０，２１６０をディスプレイすればよい。又は、装置１００は、ユーザがメイン画面４００においてユーザインターフェース（例えば、４１５）を選択すると、運動量測定画面２１４０，２１７０をディスプレイすればよい。
【０１６５】
生体情報測定画面（例えば、２１００，２１３０，２１４０）は、測定する生体情報のアイコン（例えば、２１１１，２１３１，２１４１）、未伝送された生体情報の測定値を伝送するユーザインターフェース（例えば、２１１２，２１３２，２１４２）、生体情報を測定するユーザインターフェース（例えば、２１１４，２１３４，２１４４）、過去測定された生体情報の測定値の目録を提供するユーザインターフェース（例えば、２１１５，２１３５，２１４５）のうち少なくとも一つを含むとよい。
【０１６６】
この実施例において、図２１Ａ乃至図２１Ｃを参照すると、装置１００は、ユーザインターフェース（例えば、２１１２，２１３２，２１４２）の領域上に、未伝送された生体情報の測定値の個数（例えば、２１１３，２１３３，２１４３）を表示してもよい。この場合、ユーザは、ユーザインターフェース（例えば、２１１２，２１３２，２１４２）を選択して、装置１００に記憶された未伝送された生体情報の測定値をサーバー１７０に伝送すればよい。
【０１６７】
この実施例において、図２１Ｄ乃至図２１Ｆを参照すると、未伝送された生体情報の測定値がないと、装置１００は、生体情報測定画面（例えば、２１５０乃至２１７０）をディスプレイすればよい。この場合、生体情報測定画面（例えば、２１５０乃至２１７０）は、未伝送された生体情報の測定値がない旨を表す不活性化されたユーザインターフェース（例えば、２１５１，２１６１，２１７１）を含むとよい。
【０１６８】
図２２Ａ乃至図２２Ｃは、一実施例に係る即時測定画面２２００，２２５０，２２６０を示す図である。
【０１６９】
この実施例において、ユーザが生体情報測定画面（例えば、２１００，２１３０，２１４０）において生体情報の即時測定のためのユーザインターフェース（例えば、２１１４，２１３４，２１４４）を選択すると、装置１００は、即時測定画面２２００，２２５０，２２６０をディスプレイすればよい。
【０１７０】
例えば、ユーザが生体情報測定画面２１００においてユーザインターフェース（例えば、２１１４）を選択すると、装置１００は、血糖の測定のための即時測定画面２２００をディスプレイすればよい。又は、ユーザが生体情報測定画面２１３０においてユーザインターフェース（例えば、２１３４）を選択すると、装置１００は、血圧の測定のための血圧測定画面２２５０をディスプレイすればよい。又は、ユーザが生体情報測定画面２１４０においてユーザインターフェース（例えば、２１４４）を選択すると、装置１００は運動量の測定のための即時測定画面２２６０をディスプレイすればよい。
【０１７１】
即時測定画面２２００，２２５０，２２６０は、ユーザに生体情報の測定を要請する情報（例えば、２２０１，２２５１，２２６１）を含んでいるとよい。例えば、生体情報の測定を要請する情報は、グラフィック、テキスト又はサウンドの形態で提供するとよいが、これに限定されるものではない。
【０１７２】
図２３Ａ乃至図２３Ｆは、一実施例に係る測定案内画面２３００，２３５０，２３６０，２３７０，２３８０，２３９０を示す図である。
【０１７３】
この実施例において、ユーザが即時測定画面（例えば、２２００，２２５０，２２６０）において生体情報の測定案内を提供するユーザインターフェース（例えば、２２２３，２２５３，２２６３）を選択すると、装置１００は、生体情報の測定案内画面（例えば、２３００，２３５０，２３６０，２３７０，２３８０，２３９０）をディスプレイすればよい。例えば、ユーザが即時測定画面２２００において血糖の測定案内を提供するユーザインターフェース（例えば、図２２Ａの２２２３）を選択すると、生体情報の測定案内画面は、血糖を測定する測定案内画面（例えば、２３００，２３５０，２３６０，２３７０，２３８０，２３９０）を含むとよい。
【０１７４】
生体情報の測定段階は、例えば、測定案内画面（例えば、２３００）の一側に進行バー２３３０の形態で提供されていてよい。測定案内画面（例えば、２３００，２３５０，２３６０，２３７０，２３８０，２３９０）は、生体情報の測定段階によって測定前段階（例えば、２３３１）、準備段階（例えば、２３３２，２３３３，２３３４）、測定段階（例えば、２３３５）、完了段階（例えば、２３３６）のうち少なくとも一つを含めばよい。
【０１７５】
測定案内画面（例えば、２３００）は、測定案内に関連した情報（例えば、２３１１，２３１２，２３１３）を含むとよい。例えば、測定案内に関連した情報は、テキスト（例えば、２３１１）、グラフィック（例えば、２３１２）又はサウンド（例えば、２３１３）の形態で提供されていればよい。また、測定案内に関連した情報が、血糖を測定する情報であれば、測定案内画面（例えば、２３００，２３５０，２３６０，２３７０，２３８０，２３９０）のうち少なくとも一つは、ユーザが血糖計を利用する情報を含むとよい。
【０１７６】
この実施例において、ユーザは、測定案内画面（例えば、２３００）の進行バー２３３０に含まれた段階のいずれか一つを選択し、選択された段階に対応する画面へ移動してもよい。また、ユーザのジェスチャーが測定案内画面（例えば、２３５０）の一部に接触し、接触状態を維持したままで接触を移動し、再び接触を解除すると、装置１００は、ディスプレイされた測定案内画面（例えば、２３５０）の前の画面（例えば、２３００）又は次の画面（例えば、２３６０）をディスプレイしてもよい。また、ユーザは、ユーザインターフェース（例えば、２３２２）を用いて測定案内画面（例えば、２３００，２３５０，２３６０，２３７０，２３８０，２３９０）を順次にディスプレイしてもよい。
【０１７７】
図２４Ａ乃至図２４Ｆは、一実施例に係る測定案内画面を示す図である。
【０１７８】
この実施例において、ユーザが即時測定画面２２５０において血圧の測定案内を提供するユーザインターフェース（例えば、図２２Ｂの２２５３）を選択すると、生体情報の測定案内画面は、血圧を測定する測定案内画面（例えば、２４００，２４５０，２４６０，２４７０，２４８０，２４９０）を含むことができる。
【０１７９】
この実施例において、測定案内画面（例えば、２４００，２４５０，２４６０，２４７０，２４８０，２４９０）は、ユーザが血圧を測定する前に必要な測定案内に関連した情報又は測定時の注意情報を含めばよい。また、測定案内画面（例えば、２４００，２４５０，２４６０，２４７０，２４８０，２４９０）のうち少なくとも一つは、ユーザが血圧計を利用する情報を含んでもよい。
【０１８０】
図２５Ａ乃至図２５Ｅは、一実施例に係る測定案内画面を示す図である。
【０１８１】
この実施例において、ユーザが即時測定画面２２６０において運動量測定の案内を提供するユーザインターフェース（例えば、図２２Ｃの２２６３）を選択すると、生体情報の測定案内画面は、運動量を測定する測定案内画面（例えば、２５００，２５５０，２５６０，２５７０，２５８０）を含めばよい。
【０１８２】
この実施例において、測定案内画面（例えば、２５００，２５５０，２５６０，２５７０，２５８０）は、ユーザが運動量計を使用する前に必要な測定案内に関連した情報又は測定時の注意情報を含むとよい。また、測定案内画面（例えば、２５００，２５５０，２５６０，２５７０，２５８０）のうち少なくとも一つは、運動量計を利用する情報、又は運動量計に記憶された運動量測定値を装置１００に伝送する情報を含んでもよい。
【０１８３】
図２６Ａ乃至図２６Ｄは、一実施例に係る測定結果画面を示す図である。
【０１８４】
この実施例において、ユーザが即時測定画面（例えば、２２００，２２５０，２２６０）において生体情報測定センサー１６０を用いて生体情報を測定した場合、装置１００は、測定結果画面２６００，２６５０，２６６０，２６７０をディスプレイすればよい。
【０１８５】
測定結果画面２６００，２６５０，２６６０，２６７０は、生体情報を測定した測定時間（例えば、２６１１，２６５１，２６６１，２６７１）、生体情報の測定値（例えば、２６２１，２６５２，２６６２，２６７２）、生体情報の測定当時の測定条件を入力するユーザインターフェース（例えば、２６３１，２６６３）、生体情報の測定情報をサーバー１７０に伝送するユーザインターフェース（例えば、２６４１，２６５３，２６６４）のうち少なくとも一つを含むとよい。
【０１８６】
この実施例において、ユーザの測定した生体情報が血糖であれば、血糖に関する測定条件を入力するユーザインターフェース（例えば、２６３１）としては、夜明け、食前（空腹）、食後、就寝前、知らない、のうち少なくとも一つを含むとよい。また、ユーザの測定した生体情報が血圧であれば、血圧に関する測定条件を入力するユーザインターフェース（図示せず）としては、日常、運動後、起床後、知らない、のうち少なくとも一つを含むとよい。また、ユーザの測定した生体情報が運動量であれば、運動量に関する測定条件を入力するユーザインターフェース（例えば、２６６３）としては、日常、運動、知らない、のうち少なくとも一つを含むとよい。
【０１８７】
この実施例において、ユーザが生体情報の測定情報をサーバー１７０に伝送するユーザインターフェース（例えば、２６４１，２６５３，２６６４）を選択すると、ユーザの測定した生体情報の測定情報がサーバー１７０又は記憶部１４０に伝送されてよい。例えば、生体情報の測定情報は、生体情報の測定日及び時間（例えば、２６１１，２６５１，２６６１，２６７１）、生体情報の測定値（例えば、２６２１，２６５２，２６６２，２６７２）、生体情報の測定条件（例えば、２６３１，２６６３）のうち少なくとも一つを含むとよい。
【０１８８】
この実施例において、ユーザの測定した生体情報の測定値が特定範囲を外れると、装置１００は、生体情報の再測定を要請する画面２６７０をディスプレイすればよい。例えば、生体情報の測定値が患者から測定されうる測定値の限界値を外れたり、又は患者別に既に設定された測定値の限界値を外れると、生体情報の再測定を要請する画面２６７０をディスプレイすればよい。ここで、測定値の限界値は、装置１００又はサーバー１７０に記憶され、且つ医療陣により変更可能な値であってよい。
【０１８９】
生体情報の再測定を要請する画面２６７０は、再測定に関する情報（例えば、２６７３）、再測定をするためのユーザインターフェース２６７４、及び医療陣に連絡するユーザインターフェース２６７５のうち少なくとも一つを含むとよい。例えば、再測定に関する情報２６７３は、ユーザに再測定することを要請したり、医療陣へ連絡することを要請するテキスト、グラフィック、サウンドを含むとよい。また、医療陣へ連絡するユーザインターフェース２６７５は、電話、イーメール、ＳＭＳなどを含むとよいが、これに限定されない。
【０１９０】
図２７Ａ乃至図２７Ｃは、一実施例に係る未伝送測定値目録画面を示す図である。
【０１９１】
この実施例において、生体情報測定画面（例えば、２１００，２１３０，２１４０）において、ユーザが、未伝送された生体情報の測定値を送るユーザインターフェース（例えば、２１１２，２１３２，２１４２）を選択すると、装置１００は、未伝送測定値目録画面２７００，２７５０，２７６０をディスプレイすればよい。
【０１９２】
未伝送された測定値目録画面２７００，２７５０，２７６０は、複数個の未伝送された生体情報の測定値を含むことがある。また、未伝送された測定値目録画面２７００，２７５０，２７６０は、測定値に対応する測定日及び測定時間（例えば、２７１１，２７５１，２７６１）、測定値に基づいて患者の健康状態を示すイメージ（例えば、２７１２，２７５２，２７６２）、未伝送された測定値（例えば、２７１３，２７５３，２７６３）、及び生体情報の測定当時の測定条件（例えば、２７１４，２７６５）のうち少なくとも一つを含むとよい。
【０１９３】
この実施例において、生体情報が血糖であれば、測定条件（例えば、２７１４）は、例えば、夜明け、食前（空腹）、食後、就寝前、知らない、のうち少なくとも一つを含むとよい。また、生体情報が運動量であれば、測定条件（例えば、２７６５）は、例えば日常、運動、知らない、のうち少なくとも一つを含むとよい。
【０１９４】
この実施例において、未伝送された測定値目録画面２７００，２７５０，２７６０は、生体情報の測定情報をサーバー１７０に伝送するユーザインターフェース（例えば、２７１６，２６５６，２７６６）を含んでもよい。また、未伝送された測定値目録画面２７００，２７５０，２７６０は、未伝送された測定値目録から選択された少なくとも一つの測定値をサーバー１７０に伝送するための、少なくとも一つの未伝送された測定値を選択するユーザインターフェース（図示せず）を含んでもよい。
【０１９５】
この実施例において、未伝送された測定値目録画面２７００，２７５０，２７６０は、未伝送された測定値目録のうち少なくとも一つの未伝送された測定値を削除するユーザインターフェース（図示せず）を含んでもよい。ユーザは、未伝送された測定値を削除するユーザインターフェース（図示せず）を選択して、未伝送された測定値目録から少なくとも一つの未伝送された測定値を削除してもよい。そして、ユーザは、ユーザインターフェース（例えば、２７１６，２７５６，２７６６）を選択して、削除されていない残りの未伝送された測定値をサーバーに伝送してもよい。
【０１９６】
図２８Ａ乃至図２８Ｃは、一実施例に係る未伝送測定値画面を示す図である。
【０１９７】
この実施例において、未伝送測定値目録画面（例えば、２７００，２７５０，２７６０）においてユーザが一つの測定値を選択すると、装置１００は、未伝送された測定値画面２８００，２８５０，２８６０をディスプレイすることができる。未伝送された測定値画面２８００，２８５０，２８６０は、未伝送された測定値を測定した測定日及び時間（例えば、２８１１，２８５１，２８６１）、未伝送された測定値（例えば、２８１２，２８５２，２８６２）、未伝送された測定値の測定当時の測定条件を入力するユーザインターフェース（例えば、２８２１，２８６３）、未伝送された測定値をサーバー１７０又は記憶部１４０に伝送するユーザインターフェース（例えば、２８３２，２８５５，２８６５）のうち少なくとも一つを含むとよいる。また、未伝送された測定値画面２８００，２８５０，２８６０は、未伝送測定値目録画面（例えば、２７００，２７５０，２７６０）に復帰するためのユーザインターフェース（例えば、２８３１，２８５４，２８６４）をさらに含んでもよい。
【０１９８】
この実施例において、未伝送された測定値画面２８００，２８５０，２８６０は、ディスプレイされた未伝送された測定値を削除するユーザインターフェース（図示せず）をさらに含んでもよい。このユーザインターフェースをユーザが選択すると、未伝送された測定値画面２８００，２８５０，２８６０は、未伝送測定値目録画面（例えば、２７００，２７５０，２７６０）へと切り替わればよい。
【０１９９】
図２９Ａ乃至図２９Ｃは、一実施例に係る最近測定値目録画面を示す図である。
【０２００】
この実施例において、生体情報測定画面（例えば、２１００、２１３０、２１４０）においてユーザが最近測定した生体情報の測定値目録を照会するユーザインターフェース（例えば、２１１２，２１３５，２１４５）を選択すると、装置１００は、最近測定値目録画面２９００，２９５０，２９６０，２９７０をディスプレイすればよい。
【０２０１】
最近測定値目録画面２９００，２９５０，２９６０，２９７０は、複数個の生体情報の測定値を含むことがある。この場合、生体情報の測定値は、サーバー１７０又は記憶部１４０に記憶された測定値及び未伝送された測定値のうち少なくとも一つの測定値を含んでもよい。
【０２０２】
最近測定値目録画面２９００，２９５０，２９６０，２９７０は、測定値に対応する測定日及び測定時間（例えば、２９１１，２９６１，２９７１）、測定値に基づいて患者の健康状態を表すイメージ（例えば、２９１２，２９６２，２９７２）、生体情報を測定した測定条件に関する情報（例えば、２９２１，２９６４，２９７４）、生体情報の測定値（例えば、２９１３，２９６３，２９７３）、測定値に基づくフィードバック情報（例えば、２９６５，２９７５）のうち少なくとも一つを含むとよい。測定値に基づくフィードバック情報（例えば、２９６５，２９７５）としては、測定値に基づいて、複数個のフィードバック情報からいずれか一つを選択すればよい。又は、測定値がサーバーに伝送された場合、測定値に基づくフィードバック情報（例えば、２９６５、２９７５）は、医療陣が入力した情報に基づいて提供されてもよい。測定値に基づくフィードバック情報（例えば、２９６５、２９７５）は、例えば、テキスト、グラフィック、サウンドなどとして提供されるとよいが、これに限定されない。
【０２０３】
この実施例において、最近測定値目録画面２９００，２９５０，２９６０，２９７０は、日程期間（例えば、一ケ月又は一年など）以内の生体情報の測定値を提供することがある。この場合、最近測定値目録画面２９００，２９５０，２９６０，２９７０は、日程期間後の生体情報の測定値をディスプレイするためのユーザインターフェース（例えば、２９５１）を含むとよい。このユーザインターフェース（例えば、２９５１）が選択される場合、装置１００は、日程期間後の生体情報の測定値をサーバー１７０又は記憶部１４０から獲得して提供すればよい。
【０２０４】
図３０Ａ乃至図３０Ｃは、一実施例に係る最近測定値画面を示す図である。
【０２０５】
この実施例において、最近測定値目録画面（例えば、２９００，２９５０，２９６０，２９７０）においてユーザが一つの項目を選択すると、装置１００は、選択された項目の測定値の情報を含む最近測定値画面３０００，３０５０，３０６０をディスプレイすればよい。
【０２０６】
最近測定値画面３０００，３０５０，３０６０は、測定値を測定した日時又は時間（例えば、３０１１，３０５１，３０６１）、最近測定値（例えば、３０２１，３０５２，３０６２）、最近測定値に基づくフィードバック情報（例えば、３０３１，３０５３，３０６３）を含むとよい。ユーザがユーザインターフェース（例えば、３０４１，３０５４，３０６４）が選択されると、装置は、最近測定値目録画面（例えば、２９００，２９５０，２９６０，２９７０）をディスプレイすればよい。
【０２０７】
図３１は、一実施例に係る環境設定画面を示す図である。
【０２０８】
この実施例において、メイン画面（例えば、４００）においてユーザが環境を設定する設定ユーザインターフェース（例えば、４５４）を選択すると、装置１００は、環境設定画面３１００をディスプレイすればよい。
【０２０９】
環境設定画面は、装置１００の画面を介して提供される一般的な状態を設定する一般設定項目（例えば、３１１０）、ユーザに関する情報を設定するユーザ設定項目（例えば、３１２０）、及びインターネットを用いた電話に関連したインターネット電話項目（例えば、３１３０）のうち少なくとも一つを含むとよい。
【０２１０】
この実施例において、一般設定項目（例えば、３１１０）は、画面の明るさを設定する画面設定ユーザインターフェース（例えば、３１１１）、装置１００で再生される音を設定するユーザインターフェース（例えば、３１１２）、及び装置１００の時間を設定する時間設定ユーザインターフェース（例えば、３１１３）のうち少なくとも一つを含むとよい。また、ユーザ設定項目３１２０は、ユーザ個人情報を設定するユーザインターフェース（例えば、３１２１）、健康管理システムに接続するパスワードを設定するユーザインターフェース（例えば、３１２２）、及び生体情報を測定した測定値を伝送する方式を設定するユーザインターフェース（例えば、３１２３）のうち少なくとも一つを含むとよい。また、インターネット電話項目（例えば、３１３０）は、インターネット電話時に自動的に地域番号を設定するユーザインターフェース（例えば、３１３１）、発信制限目録を設定するユーザインターフェース（例えば、３１３２）、電話の受信を制限する目録を管理するユーザインターフェース（例えば、３１３３）のうち少なくとも一つを含むとよい。
【０２１１】
図３２Ａ乃至図３２Ｃは、一実施例に係る一般設定画面を示す図である。
【０２１２】
この実施例において、ユーザが環境設定画面（例えば、３１００）の一般設定項目（例えば、３１１０）において画面の明るさを設定する画面設定ユーザインターフェース（例えば、３１１１）を選択すると、装置１００は、画面の明るさを設定する画面３２００をディスプレイすればよい。
【０２１３】
画面の明るさを設定する画面３２２０において、ユーザは画面の明るさの大きさを表すバー（ｂａｒ）（例えば、３２２１）の位置を調節することによって、画面の明るさを調節することができる。画面３２２０は、バーの位置に従う画面の明るさに関する情報（例えば、３２２２）を、数字、テキスト、グラフィック、サウンドのうち少なくとも一つで提供すればよい。
【０２１４】
この実施例において、ユーザが画面設定画面（例えば、３１００）の一般設定項目（例えば、３１１０）において、装置１００で再生される音を設定するユーザインターフェース（例えば、３１１２）を選択すると、装置１００は、音を設定する画面３２３０をディスプレイすればよい。
【０２１５】
音を設定する画面３２２０は、ボリュームを調節する項目（例えば、３２３１）、音声ガイドをオン／オフする項目（例えば、３２３２）、ボタン操作音をオン／オフする項目（例えば、３２３３）、報知音をオン／オフする項目（例えば、３２３４）及びベル音の種類を決定する項目（例えば、３２３５）のうち少なくとも一つを含むとよい。
【０２１６】
この実施例において、ユーザが画面設定画面（例えば、３１００）の一般設定項目において装置１００の時間を設定する時間設定ユーザインターフェース（例えば、３１１３）を選択すると、装置１００は、時間設定画面３２６０をディスプレイすればよい。
【０２１７】
時間設定画面３２６０は、１２時間又は２４時間単位で時間を表示する時間表示項目（例えば、３２６１）、装置のスクリーセーバー作動時間を設定するスクリーセーバー時間項目（例えば、３２６２）、スクリーセーバーモードをオン／オフするスクリーセーバーモード項目（例えば、３２６３）、一定時間にわたって装置１００にユーザの入力がなけはれば、自動的にユーザログアウトをする自動ログアウト時間項目（例えば、３２６４）のうち少なくとも一つを含むとよい。
【０２１８】
図３３Ａ乃至図３４は、一実施例に係るユーザ個人情報設定画面を示す図である。
【０２１９】
この実施例において、ユーザが環境設定画面（例えば、３１００）のユーザ設定項目（例えば、３１２０）においてユーザ個人情報を設定するユーザインターフェース（例えば、３１２１）を選択すると、装置１００は、ユーザ個人情報設定画面３３１０をディスプレイすればよい。
【０２２０】
ユーザ個人情報設定画面３３１０は、複数個のイメージ（例えば、３３２２乃至３３２４）を含んでもよい。ユーザは、複数個のイメージ（例えば、３３２２乃至３３２４）のいずれか一つを選択し、これをユーザを代表するイメージに設定すればよい。ここで、複数個のイメージは、記憶部１４０に記憶されていてもよく、サーバー１７０の記憶部に記憶されていてもよい。
【０２２１】
この実施例において、ユーザ個人情報設定画面３３１０は、ユーザが、ユーザを代表するイメージを直接撮影するためのユーザインターフェース（例えば、３３２１）を含むとよい。装置１００は、イメージを撮影するためのカメラを含んでいてよい。又は、装置１００は、外部のカメラを用いてイメージを撮影し、撮影した情報を通信部１５０を介して受信してもよい。
【０２２２】
ユーザがユーザインターフェース（例えば、３３２１）を選択すると、カメラは、ユーザ撮影画面３３３０を提供すればよい。又は、装置１００のスクリーン１１０を介してユーザ撮影画面（例えば、３３３０）が提供されてもよい。ユーザがユーザ撮影画面（例えば、３３３０）を介して被写体を決定し、ユーザインターフェース（例えば、３３３２）を用いて撮影をすると、装置１００は、当該被写体を記憶するとよい。一方、ユーザが撮影を取消すユーザインターフェース（例えば、３３３１）を選択すると、装置１００は、撮影前のユーザ個人情報設定画面（例えば、３３１０）をディスプレイすればよい。
【０２２３】
ユーザがユーザインターフェース（例えば、３３３２）を用いて撮影をすると、カメラは、撮影写真活用画面（例えば、３３６０）を提供してもよい。又は、装置１００のスクリーン１１０を介して撮影写真活用画面（例えば、３３６０）が提供されてもよい。撮影写真活用画面（例えば、３３６０）は、撮影した写真を再び撮るユーザインターフェース（例えば、３３６１）及び撮影を取消すユーザインターフェース（例えば、３３６２）を含むとよい。ユーザは、撮影した写真を使用するインターフェース（例えば、３３６３）を選択し、撮影した写真をユーザを代表するイメージに設定すればよい。
【０２２４】
図３５Ａ乃至図３５Ｃは、一実施例に係るユーザ個人情報設定画面を示す図である。
【０２２５】
この実施例において、ユーザが環境設定画面（例えば、３１００）のユーザ設定項目（例えば、３１２０）においてユーザ個人情報を設定するユーザインターフェース（例えば、３１２１）を選択すると、装置１００は、ユーザ個人情報設定画面３５００、３５１０、３５２０をディスプレイしてもよい。
【０２２６】
この実施例において、ユーザ個人情報設定画面３５００，３５１０，３５２０は、ユーザのあだ名を入力する画面（例えば、３５００）を含むとよい。例えば、ユーザは、ユーザのあだ名を用いてログインを行ったり、医療陣又は患者の知人から／に患者の健康に関する情報を受信／伝送したりすればよい。
【０２２７】
この実施例において、ユーザ個人情報設定画面３５００，３５１０，３５２０は、ユーザの電話番号を入力する画面（例えば、３５１０）を含んでもよい。ユーザは、変更された携帯電話番号を介して医療陣又は患者の知人から／に健康に関する情報を受信／伝送してもよい。
【０２２８】
この実施例において、ユーザ個人情報設定画面３５００，３５１０，３５２０は、ユーザの生体情報を入力する画面（例えば、３５２０）を含んでもよい。例えば、ユーザの生体情報はユーザの体重でよい。装置１００は、ユーザが体重を直接入力するユーザインターフェース（例えば、３５２１）を介してユーザの体重を受信してもよく、生体情報測定センサー１６０を利用するユーザインターフェース（例えば、３５２２）を介して生体情報測定センサー１６０によるユーザの体重を獲得してもよい。
【０２２９】
図３６Ａ乃至図３６Ｂは、一実施例に係るパスワード設定画面を示す図である。
【０２３０】
この実施例において、ユーザが環境設定画面（例えば、３１００）のユーザ設定項目（例えば、３１２０）において、健康管理システムに接続するパスワードを設定するユーザインターフェース（例えば、３１２２）を選択すると、装置１００は、パスワード設定画面３６１０をディスプレイすればよい。
【０２３１】
この実施例において、パスワード設定画面３６１０は、パスワードを変更する項目（例えば、３６２１）及び自動ログインするか否か３６３２，３６３３を決定する項目（例えば、３６３１）の少なくとも一つを含むとよい。ユーザは、項目（例えば、３６２１）のパスワード変更ユーザインターフェース（例えば、３６２２）を介してパスワードを変更すればよい。又は、ユーザは項目（例えば、３６３１）における「オン」ユーザインターフェース３６３２又は「オフ」ユーザインターフェース３６３３を介して自動ログインに当たってパスワード入力画面を提供するか否かを決定してもよい。
【０２３２】
この実施例において、ユーザがパスワード変更ユーザインターフェース（例えば、３６２２）を選択すると、装置１００は、パスワードを変更する画面（例えば、３６５０）をディスプレイすればよい。例えば、ユーザは、画面（例えば、３６５０）中の数字キーを入力してパスワードを変更し、変更されたパスワードを記憶するとよい。装置１００は、ユーザが再ログインする際に入力したパスワードが、変更されたパスワードと一致しているか確認し、確認結果によって健康管理システムに接続すればよい。
【０２３３】
図３７は、一実施例に係る測定値伝送方式設定画面を示す図である。
【０２３４】
この実施例において、ユーザが環境設定画面（例えば、３１００）のユーザ設定項目（例えば、３１２０）において、生体情報を測定した測定値を伝送する方式を設定するユーザインターフェース（例えば、３１２３）を選択すると、装置１００は、測定値伝送方式設定画面３７００をディスプレイすればよい。
【０２３５】
測定値伝送方式設定画面３７００において、ユーザが「オン」ユーザインターフェース（例えば、３７１１）を選択すると、装置１００は、生体情報の測定値を自動でサーバー１７０又は記憶部１４０に伝送すればよい。また、ユーザが「オフ」ユーザインターフェースを（例えば、３７１２）を選択すると、装置１００は、生体情報の測定後に、ユーザの追加の伝送要請入力に応じて生体情報の測定値をサーバー１７０又は記憶部１４０に伝送してもよい。
【０２３６】
図３８は、一実施例に係る自動地域番号設定画面を示す図である。
【０２３７】
この実施例において、ユーザが環境設定画面（例えば、３１００）のインターネット電話項目３１３０において自動地域番号を設定するユーザインターフェース（例えば、３１３１）を選択すると、装置１００は、自動地域番号設定画面３８００をディスプレイすればよい。
【０２３８】
自動地域番号設定画面３８００においてユーザが地域番号を入力して設定すると、装置１００は、電話番号を入力する画面で設定された地域番号を自動で提供することが可能になる。
【０２３９】
図３９は、一実施例に係る発信制限目録設定画面を示す図である。
【０２４０】
この実施例において、ユーザが環境設定画面（例えば、３１００）のインターネット電話項目（例えば、３１３０）において、発信制限目録を設定するユーザインターフェース（例えば、３１３２）を選択すると、装置１００は、発信制限目録設定画面３９００をディスプレイすればよい。
【０２４１】
例えば、発信制限目録設定画面３９００は、国際電話発信制限項目（例えば、３９１１）及び迷惑電話（例えば、０６０電話）発信制限項目３９１２を含むとよい。ユーザは、国際電話発信を禁止するユーザインターフェース（例えば、３９１２）又は許容するユーザインターフェース（例えば、３９１３）を含むとよい。また、ユーザは、迷惑電話発信を禁止するユーザインターフェース（例えば、３９２２）又は許容するユーザインターフェース（例えば、３９２３）を含んでもよい。
【０２４２】
図４０Ａ乃至図４０Ｃは、一実施例に係る受信制限目録設定画面を示す図である。
【０２４３】
この実施例において、ユーザが環境設定画面（例えば、３１００）のインターネット電話項目（例えば、３１３０）において、受信制限目録を設定するユーザインターフェース（例えば、３１３３）を選択すると、装置１００は、受信制限目録設定画面４０００，４０１０，４０２０をディスプレイすればよい。
【０２４４】
受信制限目録設定画面４０００，４０１０，４０２０は、受信を制限する番号を入力する画面（例えば、４０００）を含むとよい。画面４０００を介してユーザは受信を制限する番号を入力すればよい。装置１００は、ユーザが受信を制限した番号で電話が入る場合、該当の電話の受信を遮断したり、既に記憶された音声又はテキストメッセージを伝送したりすればよい。
【０２４５】
受信制限目録設定画面４０００，４０１０，４０２０は、受信を制限した番号を解除する画面（例えば、４０１０，４０２０）を含んでもよい。画面４０１０において、ユーザは、受信制限番号を解除するユーザインターフェース（例えば、４０１１）を選択して受信制限番号を解除してもよい。一方、装置１００は、ユーザが受信制限番号を解除するユーザインターフェース（例えば、４０１１）を選択すると、受信制限番号を解除するか否かを確認する画面（例えば、４０２０）をさらに提供するとよい。ユーザは、受信制限を確認するユーザインターフェース（例えば、４０２１）又は受信制限を取り消すユーザインターフェース（例えば、４０２２）を選択し、受信制限番号の受信を制限したり又は受信制限を取消したりすればよい。
【０２４６】
図４１Ａ乃至図４１Ｂは、一実施例に係る管理者暗号入力画面を示す図である。
【０２４７】
この実施例において、ユーザが、環境設定画面（例えば、３１００）において管理者設定ユーザインターフェース（例えば、図３１の３１４１）を選択すると、装置１００は、管理者暗号入力画面４１００，４１５０をディスプレイすればよい。
【０２４８】
管理者暗号入力画面４１００においてユーザは管理者暗号を入力して管理者モードに進入すればよい。ユーザが管理者暗号を誤入力した場合、装置１００は、ユーザが管理者暗号を誤入力したことを知らせる情報（例えば、４１５１）を、例えば、テキスト、サウンド又はグラフィックの少なくとも一つの形態で提供してもよい。
【０２４９】
図４２Ａ乃至図４２Ｂは、一実施例に係る管理者モード画面を示す図である。
【０２５０】
この実施例において、ユーザ（例えば、管理者）が環境設定画面３１００において管理者設定ユーザインターフェース（例えば、３１４１）を選択すると、装置１００は、管理者モード画面４２００，４２５０をディスプレイすればよい。又は、管理者暗号入力画面４１００において管理者が入力した管理者暗号が、装置１００の既に記憶された管理者暗号と一致する場合、装置１００は、管理者モード画面４２００，４２５０をディスプレイしてもよい。
【０２５１】
管理者モード画面４２００，４２５０は、装置１００を利用するユーザ目録（例えば、４２１１）を含むとよい。例えば、ユーザ目録（例えば、４２１１）は、ユーザの識別情報（例えば、４２１２，４２１３）、ユーザのパスワード（例えば、４２２１）、生体情報測定センサー（例えば、４２２３，４２２５，４２２７）などのような情報を含むとよい。ユーザ目録から提供される生体情報測定センサー（例えば、４２２３，４２２５，４２２７）は、血糖計、血圧計、運動量計などを含むとよいが、これに限定されるものではない。
【０２５２】
装置１００を利用する登録されたユーザがいなかったり、装置１００を利用するユーザの情報１００を獲得できなかった場合、装置１００は、ディスプレイするユーザ目録がないということを示す情報（例えば、４２６１）を提供すればよい。
【０２５３】
この実施例において、管理者モード画面４２００，４２５０は、生体情報測定センサー１６０を装置１００に接続させたり、又は、装置１００をサーバー１７０に接続させるためのネットワークを設定又は変更するネットワーク項目（例えば、４２７１）を含むとよい。ユーザは、ネットワーク項目（例えば、４２７１）を介して装置１００に接続可能なネットワークを設定し、設定されたネットワークを介して装置１００が生体情報測定センサー１６０又はサーバー１７０に接続するようにすればよい。
【０２５４】
図４３Ａ及び図４３Ｂは、一実施例に係るユーザのパスワードを設定する画面を示す図である。
【０２５５】
この実施例において、管理者モード画面４２００において、管理者がユーザのパスワードを設定するユーザインターフェース（例えば、図４２Ａの４２２２，４２３２）を選択すると、装置１００は、ユーザのパスワードを設定する画面４３００，４３５０をディスプレイすればよい。
【０２５６】
ユーザのパスワードを設定する画面４３００において、ユーザーはユーザインターフェース（例えば、４３２０）を介してパスワードを入力すればよい。この場合、パスワード表示部（例えば、４３１０）には、ユーザーが入力したパスワードのうち少なくとも一つの番号に関連した視覚的なフィードバックが提供されるとよい。また、ユーザのパスワードを確認する画面４３５０において、ユーザは、ユーザインターフェース（例えば、４３６０）を介して、入力したパスワードを確認すればよい。
【０２５７】
図４４Ａ乃至図４４Ｂは、一実施例に係る生体情報測定センサー登録画面を示す図である。
【０２５８】
この実施例において、管理者モード画面（例えば、４２００）において管理者がユーザの生体情報測定センサー（例えば、４２２３，４２２５，４２２７）を設定する生体情報測定センサー登録ユーザインターフェース（例えば、図４２Ａの４２２４，４２２６，４２２８）を選択すると、装置１００は、生体情報測定センサーを登録する生体情報測定センサー登録画面４４００，４４５０をディスプレイすればよい。
【０２５９】
生体情報測定センサー登録画面４４００，４４５０において、装置１００は、装置１００と接続可能な生体情報測定センサー１６０を検索し、検索された生体情報測定センサー１６０をディスプレイすればよい。
【０２６０】
この実施例において、ユーザが生体情報測定センサーの検索を中止するユーザインターフェース（例えば、４２４１）を選択すると、装置１００は、生体情報測定センサー１６０の検索を中止すればよい。又は、ユーザが生体情報測定センサー１６０の再検索を要請するユーザインターフェース（例えば、４４６１）を選択すると、装置１００は、装置１００と接続可能な生体情報測定センサー１６０を再検索し、検索された生体情報測定センサー１６０をディスプレイしてもよい。
【０２６１】
図４５Ａ及び図４５Ｂは、一実施例に係る生体情報測定センサー変更画面を示す図である。
【０２６２】
この実施例において、管理者モード画面（例えば、４２００）において管理者がユーザの生体情報測定センサー（例えば、図４２Ａの４２３１，４２３３，４２３５）を変更する生体情報測定センサー変更ユーザインターフェース（例えば、図４２Ａの４２３２，４２３４，４２３６）を選択すると、装置１００は、登録された生体情報測定センサーを変更する生体情報測定センサー変更画面４５００，４５５０をディスプレイすればよい。
【０２６３】
生体情報測定センサー変更画面４５００，４５５０において、装置１００は、装置１００と接続可能な生体情報測定センサー１６０を再検索し、検索された生体情報測定センサー１６０をディスプレイすればよい。
【０２６４】
この実施例において、ユーザは、検索された生体情報測定センサー１６０のうち、装置１００との接続を所望しない生体情報測定センサー１６０が存在すると、削除ユーザインターフェース（例えば、４５１１，４５６１）を選択して、該当の生体情報測定センサーの接続を除去すればよい。又は、ユーザが生体情報測定センサー１６０の再検索を要請するユーザインターフェース（例えば、４５５１）を選択すると、装置１００は、装置１００と接続可能な生体情報測定センサー１６０を再検索し、検索された生体情報測定センサー１６０をディスプレイしてもよい。
【０２６５】
図４６Ａ乃至図４６Ｗは、一実施例に係る健康管理公知画面を示す図である。
【０２６６】
この実施例において、健康管理公知画面４６００乃至４６４４のうち少なくとも一つは、以上の図２Ａ乃至図４５Ｂの画面のうちの少なくとも一つに、ポップアップ、オーバーレイド（ｏｖｅｒｌａｉｄ）画面、ＰＩＰ（ｐｉｃｔｕｒｅ  ｉｎ  ｐｉｃｔｕｒｅ）画面、ＰＯＰ画面（ｐｉｃｔｕｒｅ  ｏｕｔ  ｐｉｃｔｕｒｅ）画面として提供されるが、これに限定されるものではない。また、以上の図２Ａ乃至図４５Ｂの画面には、一つ又は複数個の健康管理公知画面４６００乃至４６４４が提供されてもよい。また、健康管理公知画面に含まれた情報は、テキスト又はグラフィックに限定されず、サウンド及びその他の種々のセンサーを介して、以上の図２Ａ乃至図４５Ｂと共に提供されてもよい。
【０２６７】
この実施例において、以上の図２Ａ乃至図４５Ｂにおいて一定時間以上が経過すると、スクリーンセーバー（ｓａｖｅｒ）が動作してもよい。この場合、健康管理公知画面４６００乃至４６４４に関連した情報が提供されると、スクリーンセーバーは解除され、健康管理公知画面４６００乃至４６４４のうち少なくとも一つがディスプレイされればよい。一方、スクリーンセーバーが動作する場合、ログインされているユーザは自動でログアウトされてもよい。
【０２６８】
この実施例において、画面４６００は、メイン画面（例えば、４００）においてユーザがログインする中で提供される画面である。この実施例において、画面４６０２は、ユーザが装置１００を使用する途中で医療陣勧告メッセージが到着した場合に提供される画面である。例えば、画面４６０２の医療陣勧告メッセージは、ユーザが生体情報を測定した測定値に基づいて提供されるとよい。この実施例において、画面４６０４は、生体情報測定センサー１６０又はサーバー１７０から測定値を受信する中で一定時間以上がかかる場合に提供される画面である。この実施例において、画面４６０６は、ユーザが装置１００を使用している途中でインターネット接続が切れた場合に提供される画面である。この実施例において、画面４６０８は、ユーザがパスワードを誤入力した場合に提供される画面である。この実施例において、画面４６１０は、ユーザのパスワードをユーザが登録した携帯電話に発送する画面である。この実施例において、画面４６１２は、生体情報測定日程に従ってユーザに生体情報測定を行うか否かを問う画面である。この実施例において、画面４６１４は、投薬日程に従ってユーザに投薬を確認する画面である。この実施例において、画面４６１６は、医療陣から受信した医療陣勧告内訳を提供する画面である。この実施例において、画面４６１８は、ユーザに日課設定を要請する画面である。この実施例において、画面４６２０，４６２２は、生体情報測定日程に従ってユーザに生体情報を測定する時間を知らせる画面である。画面４６２０においてユーザはユーザインターフェース４６２１を介して生体情報を測定する時間を調節してもよい。この実施例において、画面４６２４は、生体情報の測定日程を追加する場合、測定日程を記憶するか否かを確認する画面である。この実施例において、画面４６２６，４６２８は、投薬日程に従ってユーザに投薬する時間を知らせる画面である。画面４６２８においてユーザは、ユーザインターフェース４６２７を介して投薬する時間を調節してもよい。この実施例において、画面４６３０は、投薬日程と共に設定された日程がある場合に、ユーザに投薬日程を削除するか否かを確認する画面である。この実施例において、画面４６３２は、追加された投薬日程がある場合、ユーザに投薬日程を記憶するか否かを確認する画面である。この実施例において、画面４６３４は、生体情報測定センサー１６０から測定された測定値の測定条件を確認する画面である。この実施例において、画面４６３６は、生体情報測定センサー１６０の測定条件が設定されていない場合に、測定条件の設定をユーザに要請する画面である。この実施例において、画面４６３８は、生体情報の測定値をサーバー１７０に伝送するか否かをユーザに確認する画面である。この実施例において、画面４６４０は、生体情報の測定値のうち、測定条件の設定された項目をサーバー１７０に伝送するか否かをユーザに確認する画面である。この実施例において、画面４６４２は、生体情報の測定値のうち、サーバー１７０に未伝送された値がある場合、未伝送された値をサーバーに伝送するか否かをユーザに確認する画面である。この実施例において、画面４６４４は、患者の個人のパスワードが設定されていない場合、患者又は管理者にパスワードの設定を要請する画面である。
【０２６９】
一実施例に係る健康管理装置の健康管理方法は、種々のコンピュータ手段で実行可能なプログラム命令の形態で、コンピュータ読み取り可能媒体に記録されるものであってよい。コンピュータ読み取り可能媒体は、プログラム命令、データファイル、データ構造などを単独で又は組み合わせして含むとよい。該媒体に記録されるプログラム命令は、一実施例のために特別に設計されて構成されたものであってもよく、コンピュータソフトウェアにおける当業者に公知となって使用可能なものであってもよい。コンピュータ読み取り可能記録媒体の例としては、ハードディスク、フロッピーディスク（登録商標）及び磁気テープのような磁気媒体（ｍａｇｎｅｔｉｃ  ｍｅｄｉａ）、ＣＤ−ＲＯＭ、ＤＶＤのような光記録媒体（ｏｐｔｉｃａｌ  ｍｅｄｉａ）、フロピティカルディスク（ｆｌｏｐｔｉｃａｌ  ｄｉｓｋ）のような磁気−光媒体（ｍａｇｎｅｔｏ−ｏｐｔｉｃａｌ  ｍｅｄｉａ）、及びＲＯＭ、ＲＡＭ、フラッシュメモリなどのようなプログラム命令を格納し実行するように特別に構成されたハードウェア装置が挙げられる。プログラム命令の例には、コンパイラにより作成されるもののような機械語コードの他、インタープリタなどを用いてコンピュータにより実行可能な高級言語コードも含む。上記のハードウェア装置は、本発明の動作を実行するために一つ以上のソフトウェアモジュールとして作動するように構成されてもよく、その逆も同様である。
【０２７０】
以上、実施例及び図面について説明されたが、これらの実施例に限定されず、当該技術の分野における通常の知識を有する者には、以上の記載から種々の修正及び変形が可能になるであろう。したがって、本発明の範囲は、説明された実施例に限定して定められてはならず、後述する特許請求の範囲及び特許請求の範囲と均等なものにより定められるべきである。
【符号の説明】
【０２７１】
１００    装置
１１０    スクリーン
１２０    入力部
１３０    プロセッサ
１４０    記憶部
１５０    通信部
１６０    生体情報測定センサー
１７０    サーバー
【図１】
2014504404.tif 000005
【図２Ａ】
2014504404.tif 000006
【図２Ｂ】
2014504404.tif 000007
【図２Ｃ】
2014504404.tif 000008
【図３】
2014504404.tif 000009
【図４Ａ】
2014504404.tif 000010
【図４Ｂ】
2014504404.tif 000011
【図５】
2014504404.tif 000012
【図６Ａ】
2014504404.tif 000013
【図６Ｂ】
2014504404.tif 000014
【図７】
2014504404.tif 000015
【図８】
2014504404.tif 000016
【図９】
2014504404.tif 000017
【図１０】
2014504404.tif 000018
【図１１】
2014504404.tif 000019
【図１２】
2014504404.tif 000020
【図１３Ａ】
2014504404.tif 000021
【図１３Ｂ】
2014504404.tif 000022
【図１４】
2014504404.tif 000023
【図１５】
2014504404.tif 000024
【図１６】
2014504404.tif 000025
【図１７】
2014504404.tif 000026
【図１８Ａ】
2014504404.tif 000027
【図１８Ｂ】
2014504404.tif 000028
【図１９】
2014504404.tif 000029
【図２０】
2014504404.tif 000030
【図２１Ａ】
2014504404.tif 000031
【図２１Ｂ】
2014504404.tif 000032
【図２１Ｃ】
2014504404.tif 000033
【図２１Ｄ】
2014504404.tif 000034
【図２１Ｅ】
2014504404.tif 000035
【図２１Ｆ】
2014504404.tif 000036
【図２２Ａ】
2014504404.tif 000037
【図２２Ｂ】
2014504404.tif 000038
【図２２Ｃ】
2014504404.tif 000039
【図２３Ａ】
2014504404.tif 000040
【図２３Ｂ】
2014504404.tif 000041
【図２３Ｃ】
2014504404.tif 000042
【図２３Ｄ】
2014504404.tif 000043
【図２３Ｅ】
2014504404.tif 000044
【図２３Ｆ】
2014504404.tif 000045
【図２４Ａ】
2014504404.tif 000046
【図２４Ｂ】
2014504404.tif 000047
【図２４Ｃ】
2014504404.tif 000048
【図２４Ｄ】
2014504404.tif 000049
【図２４Ｅ】
2014504404.tif 000050
【図２４Ｆ】
2014504404.tif 000051
【図２５Ａ】
2014504404.tif 000052
【図２５Ｂ】
2014504404.tif 000053
【図２５Ｃ】
2014504404.tif 000054
【図２５Ｄ】
2014504404.tif 000055
【図２５Ｅ】
2014504404.tif 000056
【図２６Ａ】
2014504404.tif 000057
【図２６Ｂ】
2014504404.tif 000058
【図２６Ｃ】
2014504404.tif 000059
【図２６Ｄ】
2014504404.tif 000060
【図２７Ａ】
2014504404.tif 000061
【図２７Ｂ】
2014504404.tif 000062
【図２７Ｃ】
2014504404.tif 000063
【図２８Ａ】
2014504404.tif 000064
【図２８Ｂ】
2014504404.tif 000065
【図２８Ｃ】
2014504404.tif 000066
【図２９Ａ】
2014504404.tif 000067
【図２９Ｂ】
2014504404.tif 000068
【図２９Ｃ】
2014504404.tif 000069
【図３０Ａ】
2014504404.tif 000070
【図３０Ｂ】
2014504404.tif 000071
【図３０Ｃ】
2014504404.tif 000072
【図３１】
2014504404.tif 000073
【図３２Ａ】
2014504404.tif 000074
【図３２Ｂ】
2014504404.tif 000075
【図３２Ｃ】
2014504404.tif 000076
【図３３Ａ】
2014504404.tif 000077
【図３３Ｂ】
2014504404.tif 000078
【図３４】
2014504404.tif 000079
【図３５Ａ】
2014504404.tif 000080
【図３５Ｂ】
2014504404.tif 000081
【図３５Ｃ】
2014504404.tif 000082
【図３６Ａ】
2014504404.tif 000083
【図３６Ｂ】
2014504404.tif 000084
【図３７】
2014504404.tif 000085
【図３８】
2014504404.tif 000086
【図３９】
2014504404.tif 000087
【図４０Ａ】
2014504404.tif 000088
【図４０Ｂ】
2014504404.tif 000089
【図４０Ｃ】
2014504404.tif 000090
【図４１Ａ】
2014504404.tif 000091
【図４１Ｂ】
2014504404.tif 000092
【図４２Ａ】
2014504404.tif 000093
【図４２Ｂ】
2014504404.tif 000094
【図４３Ａ】
2014504404.tif 000095
【図４３Ｂ】
2014504404.tif 000096
【図４４Ａ】
2014504404.tif 000097
【図４４Ｂ】
2014504404.tif 000098
【図４５Ａ】
2014504404.tif 000099
【図４５Ｂ】
2014504404.tif 000100
【図４６Ａ】
2014504404.tif 000101
【図４６Ｂ】
2014504404.tif 000102
【図４６Ｃ】
2014504404.tif 000103
【図４６Ｄ】
2014504404.tif 000104
【図４６Ｅ】
2014504404.tif 000105
【図４６Ｆ】
2014504404.tif 000106
【図４６Ｇ】
2014504404.tif 000107
【図４６Ｈ】
2014504404.tif 000108
【図４６Ｉ】
2014504404.tif 000109
【図４６Ｊ】
2014504404.tif 000110
【図４６Ｋ】
2014504404.tif 000111
【図４６Ｌ】
2014504404.tif 000112
【図４６Ｍ】
2014504404.tif 000113
【図４６Ｎ】
2014504404.tif 000114
【図４６Ｏ】
2014504404.tif 000115
【図４６Ｐ】
2014504404.tif 000116
【図４６Ｑ】
2014504404.tif 000117
【図４６Ｒ】
2014504404.tif 000118
【図４６Ｓ】
2014504404.tif 000119
【図４６Ｔ】
2014504404.tif 000120
【図４６Ｕ】
2014504404.tif 000121
【図４６Ｖ】
2014504404.tif 000122
【図４６Ｗ】
2014504404.tif 000123
2014504404.tif 000124
2014504404.tif 000125
2014504404.tif 000126
2014504404.tif 000127
2014504404.tif 000128
2014504404.tif 000129
2014504404.tif 000130
2014504404.tif 000131
2014504404.tif 000132
2014504404.tif 000133
2014504404.tif 000134
2014504404.tif 000135
2014504404.tif 000136
2014504404.tif 000137
2014504404.tif 000138
2014504404.tif 000139
2014504404.tif 000140
2014504404.tif 000141
2014504404.tif 000142
2014504404.tif 000143
2014504404.tif 000144
2014504404.tif 000145
2014504404.tif 000146
2014504404.tif 000147
2014504404.tif 000148
2014504404.tif 000149
2014504404.tif 000150
2014504404.tif 000151
2014504404.tif 000152
2014504404.tif 000153
2014504404.tif 000154
2014504404.tif 000155
2014504404.tif 000156
2014504404.tif 000157
2014504404.tif 000158
2014504404.tif 000159
2014504404.tif 000160
2014504404.tif 000161
2014504404.tif 000162
2014504404.tif 000163
2014504404.tif 000164
2014504404.tif 000165
2014504404.tif 000166
2014504404.tif 000167
2014504404.tif 000168
2014504404.tif 000169
2014504404.tif 000170
2014504404.tif 000171
2014504404.tif 000172
2014504404.tif 000173
2014504404.tif 000174
2014504404.tif 000175
2014504404.tif 000176
2014504404.tif 000177
2014504404.tif 000178
2014504404.tif 000179
2014504404.tif 000180
2014504404.tif 000181
2014504404.tif 000182
2014504404.tif 000183
2014504404.tif 000184
2014504404.tif 000185
2014504404.tif 000186
2014504404.tif 000187
2014504404.tif 000188
2014504404.tif 000189
2014504404.tif 000190
2014504404.tif 000191
2014504404.tif 000192
2014504404.tif 000193
2014504404.tif 000194
2014504404.tif 000195
2014504404.tif 000196
2014504404.tif 000197
2014504404.tif 000198
2014504404.tif 000199
2014504404.tif 000200
2014504404.tif 000201
2014504404.tif 000202
2014504404.tif 000203
2014504404.tif 000204
2014504404.tif 000205
2014504404.tif 000206
2014504404.tif 000207
2014504404.tif 000208
2014504404.tif 000209
2014504404.tif 000210
2014504404.tif 000211
2014504404.tif 000212
2014504404.tif 000213
2014504404.tif 000214
2014504404.tif 000215
2014504404.tif 000216
2014504404.tif 000217
2014504404.tif 000218
2014504404.tif 000219
2014504404.tif 000220
2014504404.tif 000221
2014504404.tif 000222
2014504404.tif 000223
2014504404.tif 000224
2014504404.tif 000225
2014504404.tif 000226
2014504404.tif 000227
2014504404.tif 000228
2014504404.tif 000229
2014504404.tif 000230
2014504404.tif 000231
2014504404.tif 000232
2014504404.tif 000233
2014504404.tif 000234
2014504404.tif 000235
2014504404.tif 000236
2014504404.tif 000237
2014504404.tif 000238
2014504404.tif 000239
2014504404.tif 000240
2014504404.tif 000241
2014504404.tif 000242
【国際調査報告】
2014504404.tif 000243
2014504404.tif 000244